(57)【要約】      （修正有）【課題】エネルギー蓄積後であっても、エネルギー供給元がどの電力供給源であったのかを識別できる情報出力制御装置、エネルギー蓄積システム、エネルギー蓄積方法およびプログラムを提供する。【解決手段】情報出力制御装置１００は、複数の電力供給源が供給する電力を使用して、エネルギーを蓄積中であることを示す信号を取得するエネルギー蓄積状態取得部１０１と、第一の電力供給源が供給する第一の電力の値を取得する第一電力取得部１０２と、第二の電力供給源が供給する第二の電力の値を取得する第二電力取得部１０３と、第一の電力を使用して蓄えたエネルギー量と、第二の電力を使用して蓄えたエネルギー量とを計算するエネルギー構成計算部１０４と、エネルギー構成計算部が計算した第一の電力を使用して蓄えたエネルギー量の情報および第二の電力を使用して蓄えたエネルギー量の情報の少なくとも一方を出力する制御部１０５と、を備える。【選択図】図４
2018133870.tif 000002
【特許請求の範囲】
【請求項１】
複数の電力供給源が供給する電力を使用して、エネルギーを蓄えるエネルギー蓄積装置がエネルギーを蓄積中であることを示す信号を取得するエネルギー蓄積状態取得部と、
前記エネルギーを蓄積中に前記複数の電力供給源が供給する電力のうち、第一の電力供給源が供給する第一の電力の値を取得する第一の電力取得部と、
前記エネルギーを蓄積中に前記複数の電力供給源が供給する電力のうち、第二の電力供給源が供給する第二の電力の値を取得する第二の電力取得部と、
前記第一の電力取得部が取得した前記第一の電力の値と、前記第二の電力取得部が取得した前記第二の電力の値との比から、前記エネルギー蓄積装置が蓄えたエネルギー量のうち、前記第一の電力を使用して蓄えたエネルギー量と、前記第二の電力を使用して蓄えたエネルギー量とを計算するエネルギー構成計算部と、
前記エネルギー構成計算部が計算した前記第一の電力を使用して蓄えたエネルギー量の情報および前記第二の電力を使用して蓄えたエネルギー量の情報の少なくとも一方を出力する制御部と、
を備える情報出力制御装置。
【請求項２】
前記制御部は、前記エネルギー構成計算部が計算した前記第一の電力を使用して蓄えたエネルギー量の情報および前記第二の電力を使用して蓄えたエネルギー量の情報を区別して出力する
ことを特徴とする請求項１に記載の情報出力制御装置。
【請求項３】
複数の電力供給源が供給する電力を使用して、エネルギーを蓄えるエネルギー蓄積装置がエネルギーを蓄積中であることを示す信号を取得するエネルギー蓄積状態取得部と、
前記エネルギーを蓄積中に前記複数の電力供給源が供給する電力のうち、第一の電力供給源が供給する第一の電力の値を取得する第一の電力取得部と、
前記エネルギーを蓄積中に前記複数の電力供給源が供給する電力のうち、第二の電力供給源が供給する第二の電力の値を取得する第二の電力取得部と、
前記第一の電力取得部が取得した前記第一の電力の値と、前記第二の電力取得部が取得した前記第二の電力の値との比から、前記エネルギー蓄積装置が蓄えたエネルギー量のうち、前記第一の電力を使用して蓄えたエネルギー量と、前記第二の電力を使用して蓄えたエネルギー量を計算するエネルギー構成計算部と、
前記エネルギー構成計算部が計算した前記第二の電力を使用して蓄えたエネルギー量から、前記エネルギー蓄積装置がエネルギーを蓄積するのに使用した電力が、前記第一の電力供給源と前記第二の電力供給源のうち、いずれが供給したかを示す情報を出力する制御部と、
を備える情報出力制御装置。
【請求項４】
前記エネルギー蓄積装置は、前記複数の電力供給源が供給する電力を使用して生成した湯を、熱エネルギーとして貯湯タンクに蓄積する貯湯式給湯機を含み、
前記制御部は、前記貯湯タンクを模式的に表した表示マーク内に、前記第一の電力を使用して蓄えた熱エネルギー量の情報および前記第二の電力を使用して蓄えた熱エネルギー量の情報を区別して表示するよう表示装置を制御する
ことを特徴とする請求項２に記載の情報出力制御装置。
【請求項５】
前記エネルギー蓄積装置は、前記複数の電力供給源が供給する電力を電気エネルギーとして、蓄電池に蓄積する蓄電装置を含み、
前記制御部は、前記蓄電池を模式的に表した表示マーク内に、前記第一の電力を使用して蓄えたエネルギー量の情報および前記第二の電力を使用して蓄えたエネルギー量の情報を区別して表示するよう表示装置を制御する
ことを特徴とする請求項１に記載の情報出力制御装置。
【請求項６】
前記エネルギー蓄積装置は、前記複数の電力供給源が供給する電力を使用して生成した湯を、熱エネルギーとして貯湯タンクに蓄積する貯湯式給湯機を含み、
前記制御部は、前記エネルギー蓄積装置が蓄積した熱エネルギーが前記第一の電力を使用して蓄えた熱エネルギーであるか、前記第二の電力を使用して蓄えた熱エネルギーであるかを表示するよう表示装置を制御する
ことを特徴とする請求項３に記載の情報出力制御装置。
【請求項７】
前記エネルギー蓄積装置は、前記複数の電力供給源が供給する電力を電気エネルギーとして、蓄電池に蓄積する蓄電装置を含み、
前記制御部は、前記エネルギー蓄積装置が蓄積した電気エネルギーが、前記第一の電力を使用して蓄えた電気エネルギーであるか、前記第二の電力を使用して蓄えた電気エネルギーであるかを表示するよう表示装置を制御する
ことを特徴とする請求項３に記載の情報出力制御装置。
【請求項８】
請求項１に記載の情報出力制御装置と、
前記情報出力制御装置と通信可能な貯湯式給湯機と、
を備え、
前記貯湯式給湯機は、複数の電力供給源が供給する電力を使用して生成した湯を、熱エネルギーとして蓄積する貯湯タンクと、
前記貯湯タンクに前記熱エネルギーを蓄積中であることを前記情報出力制御装置に送信する送信部と、
を備えるエネルギー蓄積システム。
【請求項９】
前記貯湯式給湯機が前記貯湯タンクに蓄積した湯が含まれる湯水であって、出湯先が吐水する湯水を照らす光源と、前記貯湯タンクに蓄積した湯を生成するのに使用した電力供給源に対応して、前記光源を制御する光源制御部と、を備え、
前記光源制御部は、前記第二の電力を使用して蓄えた熱エネルギー量にもとづいて、前記光源の発光を制御する
ことを特徴とする請求項８に記載のエネルギー蓄積システム。
【請求項１０】
前記光源制御部は、前記第二の電力を使用して蓄えた熱エネルギー量にもとづいて、前記第一の電力供給源を示す色、または前記第二の電力供給源を示す色のいずれかで前記光源を発光させる
ことを特徴とする請求項９に記載のエネルギー蓄積システム。
【請求項１１】
前記光源制御部は、前記第二の電力を使用して蓄えた熱エネルギー量が予め定めれらた値以下であるとき、前記第二の電力を使用して蓄えた熱エネルギー量にもとづいて、前記第二の電力供給源を示す色と前記第一の電力供給源を示す色とを混合した色で発光させる
ことを特徴とする請求項９に記載のエネルギー蓄積システム。
【請求項１２】
前記光源制御部は、前記第二の電力を使用して蓄えた熱エネルギー量にもとづいて、前記第一の電力供給源が供給する電力を使用して生成した湯を使用中、または前記第二の電力供給源が供給する電力を使用して生成した湯を使用中のいずれかのみ前記光源を発光させる
ことを特徴とする請求項９に記載のエネルギー蓄積システム。
【請求項１３】
請求項３に記載の情報出力制御装置と、
前記情報出力制御装置と通信可能な貯湯式給湯機と、
を備え、
前記貯湯式給湯機は、複数の電力供給源が供給する電力を使用して生成した湯を、熱エネルギーとして蓄積する貯湯タンクと、
前記貯湯タンクに前記熱エネルギーを蓄積中であることを前記情報出力制御装置に送信する送信部と、
を備えるエネルギー蓄積システム。
【請求項１４】
前記貯湯式給湯機が前記貯湯タンクに蓄積した湯が含まれる湯水であって、出湯先が吐水する湯水を照らす光源と、
前記情報出力制御装置が送信する前記貯湯タンクに蓄積した湯を生成するのに使用した電力供給源に対応して、前記光源を制御する光源制御部と、を備え、
前記光源制御部は、前記貯湯タンクに蓄積した湯を生成するのに使用した電力供給源に対応するよう予め定められた色で前記光源を発光させる
ことを特徴とする請求項１３に記載のエネルギー蓄積システム。
【請求項１５】
複数の電力供給源が供給する電力を使用して、エネルギーを蓄えるエネルギー蓄積装置にエネルギーを蓄積中であることを示す信号を取得するエネルギー蓄積状態取得部と、
前記エネルギーを蓄積中に前記複数の電力供給源が供給する電力のうち、第一の電力供給源が供給する第一の電力の値を取得する第一の電力取得部と、
前記エネルギーを蓄積中に前記複数の電力供給源が供給する電力のうち、第二の電力供給源が供給する第二の電力の値を取得する第二の電力取得部と、
前記第一の電力取得部が取得した前記第一の電力の値と、前記第二の電力取得部が取得した前記第二の電力の値との比から、前記エネルギー蓄積装置が蓄えたエネルギー量のうち、前記第一の電力を使用して蓄えたエネルギー量と、前記第二の電力を使用して蓄えたエネルギー量を計算するエネルギー構成計算部と、
前記エネルギー構成計算部が計算した前記第二の電力を使用して蓄えたエネルギー量から、前記エネルギー蓄積装置が蓄積したエネルギーを生成するのに使用した電力供給源に対応する色の情報を出力する制御部と、
を備える情報出力制御装置。
【請求項１６】
請求項１５に記載の情報出力制御装置と、
前記情報出力制御装置と通信可能な貯湯式給湯機と、
を備え、
前記貯湯式給湯機は、複数の電力供給源が供給する電力を使用して生成した湯を、熱エネルギーとして蓄積する貯湯タンクと、
前記貯湯タンクに前記熱エネルギーを蓄積中であることを前記情報出力制御装置に送信する送信部と、
を備えるエネルギー蓄積システム。
【請求項１７】
前記貯湯式給湯機が前記貯湯タンクに蓄積した湯が含まれる湯水であって、出湯先が吐水する湯水を照らす光源と、
前記情報出力制御装置が送信する前記貯湯タンクに蓄積した湯を生成するのに使用した電力供給源に対応する色の情報にもとづいて、前記光源を制御する光源制御部と、を備え、
前記光源制御部は、前記貯湯タンクに蓄積した湯を生成するのに使用した電力供給源に対応する色の情報を前記光源の発光指示色として、前記光源を発光させる
ことを特徴とする請求項１６に記載のエネルギー蓄積システム。
【請求項１８】
前記貯湯式給湯機が前記貯湯タンクに蓄積した湯が含まれる湯水であって、出湯先が吐水する湯水に空気を含ませる空気混入部を備え、
前記空気混入部は、情報出力制御装置が送信する前記第二の電力を使用して蓄えた熱エネルギー量にもとづいて、前記湯水に空気を混入させる
ことを特徴とする請求項８から１２のいずれか１項に記載のエネルギー蓄積システム。
【請求項１９】
前記貯湯式給湯機が前記貯湯タンクに蓄積した湯が含まれる湯水であって、出湯先が吐水する湯水に空気を含ませる空気混入部を備え、
前記空気混入部は、情報出力制御装置が送信する前記貯湯タンクに蓄積した湯を生成するのに使用した電力供給源に対応して、前記湯水に空気を混入させる
ことを特徴とする請求項１３または１４のいずれか１項に記載のエネルギー蓄積システム。
【請求項２０】
エネルギー蓄積状態取得部が複数の電力供給源が供給する電力を使用して、エネルギーを蓄えるエネルギー蓄積装置がエネルギー蓄積中であることを示す信号を取得するエネルギー蓄積状態取得ステップと、
第一の電力取得部が前記エネルギーを蓄積中に前記複数の電力供給源が供給する電力のうち、第一の電力供給源が供給する第一の電力の値を取得する第一の電力取得ステップと、
第二の電力取得部が前記エネルギーを蓄積中に前記複数の電力供給源が供給する電力のうち、第二の電力供給源が供給する第二の電力の値を取得する第二の電力取得ステップと、
エネルギー構成計算部が前記第一の電力取得ステップで取得した前記第一の電力の値と、前記第二の電力取得ステップで取得した前記第二の電力の値との比から、前記エネルギー蓄積装置が蓄えたエネルギー量のうち、前記第一の電力を使用して蓄えたエネルギー量と、前記第二の電力を使用して蓄えたエネルギー量とを計算するエネルギー構成計算ステップと、
制御部が前記エネルギー構成計算ステップで計算した前記第一の電力を使用して蓄えたエネルギー量の情報および前記第二の電力を使用して蓄えたエネルギー量の情報の少なくとも一方を出力する制御ステップと、
を有するエネルギー蓄積方法。
【請求項２１】
コンピュータに、複数の電力供給源が供給する電力を使用して、エネルギーを蓄えるエネルギー蓄積装置がエネルギーを蓄積中であることを示す信号を取得するエネルギー蓄積状態取得ステップ、
前記エネルギーを蓄積中に前記複数の電力供給源が供給する電力のうち、第一の電力供給源が供給する第一の電力の値を取得する第一の電力取得ステップ、
前記エネルギーを蓄積中に前記複数の電力供給源が供給する電力のうち、第二の電力供給源が供給する第二の電力の値を取得する第二の電力取得ステップ、
前記第一の電力取得ステップで取得した前記第一の電力の値と、前記第二の電力取得ステップで取得した前記第二の電力の値との比から、前記エネルギー蓄積装置が蓄えたエネルギー量のうち、前記第一の電力を使用して蓄えたエネルギー量と、前記第二の電力を使用して蓄えたエネルギー量とを計算するエネルギー構成計算ステップ、
前記エネルギー構成計算ステップで計算した前記第一の電力を使用して蓄えたエネルギー量の情報および前記第二の電力を使用して蓄えたエネルギー量の情報の少なくとも一方を出力する制御ステップ、
を実行させるためのプログラム。
【発明の詳細な説明】
【技術分野】
【０００１】
本発明は、情報出力制御装置、エネルギー蓄積システム、エネルギー蓄積方法およびプログラムに関する。
【背景技術】
【０００２】
近年、再生可能なエネルギーの使用状況を含む電力情報を可視化（見える化）して、省エネ意識を啓発できる技術が種々提案されている。例えば、特許文献１には、発電装置や系統電源などの複数の電力供給源から供給される電力を蓄電池へ蓄える際に、各電力供給源から蓄電池への電力の流れを識別可能に表示する表示制御装置が開示されている。
【先行技術文献】
【特許文献】
【０００３】
【特許文献１】特開２０１３−２３３０３４号公報（段落００６２〜００７０、図２）
【発明の概要】
【発明が解決しようとする課題】
【０００４】
しかしながら、特許文献１に提案されている表示制御装置では、エネルギー蓄積装置がエネルギー蓄積後は、エネルギー供給元がどの電力供給源であったのかを識別することができない。エネルギー蓄積装置として貯湯式給湯機を用いて、複数の電力供給源から供給される電力を使用して蓄熱する場合も同様に、エネルギー蓄積後は、エネルギー供給元がどの電力供給源であったのかを識別することができない。
【０００５】
本発明は上記の課題を解決するためになされたものであり、エネルギー蓄積装置がエネルギー蓄積後であっても、エネルギー供給元がどの電力供給源であったのかを識別できることを目的とする。
【課題を解決するための手段】
【０００６】
上記の目的を達するため、本発明に係る情報出力制御装置は、複数の電力供給源が供給する電力を使用して、エネルギーを蓄えるエネルギー蓄積装置がエネルギーを蓄積中であることを示す信号を取得するエネルギー蓄積状態取得部と、エネルギーを蓄積中に複数の電力供給源が供給する電力のうち、第一の電力供給源が供給する第一の電力の値を取得する第一の電力取得部と、エネルギーを蓄積中に複数の電力供給源が供給する電力のうち、第二の電力供給源が供給する第二の電力の値を取得する第二の電力取得部と、第一の電力取得部が取得した第一の電力の値と、第二の電力取得部が取得した第二の電力の値との比から、エネルギー蓄積装置が蓄えたエネルギー量のうち、第一の電力を使用して蓄えたエネルギー量と、第二の電力を使用して蓄えたエネルギー量とを計算するエネルギー構成計算部と、エネルギー構成計算部が計算した第一の電力を使用して蓄えたエネルギー量の情報および第二の電力を使用して蓄えたエネルギー量の情報の少なくとも一方を出力する制御部と、を備える。
【０００７】
また、本発明に係る情報出力制御装置は、複数の電力供給源が供給する電力を使用して、エネルギーを蓄えるエネルギー蓄積装置がエネルギーを蓄積中であることを示す信号を取得するエネルギー蓄積状態取得部と、エネルギーを蓄積中に複数の電力供給源が供給する電力のうち、第一の電力供給源が供給する第一の電力の値を取得する第一の電力取得部と、エネルギーを蓄積中に複数の電力供給源が供給する電力のうち、第二の電力供給源が供給する第二の電力の値を取得する第二の電力取得部と、第一の電力取得部が取得した第一の電力の値と、第二の電力取得部が取得した第二の電力の値との比から、エネルギー蓄積装置が蓄えたエネルギー量のうち、第一の電力を使用して蓄えたエネルギー量と、第二の電力を使用して蓄えたエネルギー量とを計算するエネルギー構成計算部と、エネルギー構成計算部が計算した第二の電力を使用して蓄えたエネルギー量の情報から、エネルギー蓄積装置がエネルギーを蓄積するのに使用した電力が、第一の電力供給源と第二の電力供給源のうち、いずれが供給したかを示す情報を出力する制御部と、を備える。
【０００８】
また、本発明に係る情報出力制御装置は、複数の電力供給源が供給する電力を使用して、エネルギーを蓄えるエネルギー蓄積装置がエネルギーを蓄積中であることを示す信号を取得するエネルギー蓄積状態取得部と、エネルギーを蓄積中に複数の電力供給源が供給する電力のうち、第一の電力供給源が供給する第一の電力の値を取得する第一の電力取得部と、エネルギーを蓄積中に複数の電力供給源が供給する電力のうち、第二の電力供給源が供給する第二の電力の値を取得する第二の電力取得部と、第一の電力取得部が取得した第一の電力の値と、第二の電力取得部が取得した第二の電力の値との比から、エネルギー蓄積装置が蓄えたエネルギー量のうち、第一の電力を使用して蓄えたエネルギー量と、第二の電力を使用して蓄えたエネルギー量とを計算するエネルギー構成計算部と、エネルギー構成計算部が計算した第二の電力を使用して蓄えたエネルギー量から、エネルギー蓄積装置が蓄積したエネルギーを生成するのに使用した電力供給源に対応する色の情報を出力する制御部と、を備える。
【０００９】
また、本発明に係るエネルギー蓄積システムは、情報出力制御装置と、情報出力制御装置と通信可能な貯湯式給湯機と、を備え、貯湯式給湯機は、複数の電力供給源が供給する電力を使用して生成した湯を、熱エネルギーとして蓄積する貯湯タンクと、貯湯タンクに熱エネルギーを蓄積中であることを情報出力制御装置に送信する送信部と、を備える。
【００１０】
また、本発明に係るエネルギー蓄積方法は、複数の電力供給源が供給する電力を使用して、エネルギーを蓄えるエネルギー蓄積装置がエネルギー蓄積中であることを示す信号を取得する蓄エネ状態取得ステップと、エネルギーを蓄積中に複数の電力供給源が供給する電力のうち、第一の電力供給源が供給する第一の電力の値を取得する第一の電力取得ステップと、エネルギーを蓄積中に複数の電力供給源が供給する電力のうち、第二の電力供給源が供給する第二の電力の値を取得する第二の電力取得ステップと、第一の電力取得ステップで取得した第一の電力の値と、第二の電力取得ステップで取得した第二の電力の値との比から、エネルギー蓄積装置が蓄えたエネルギー量のうち、第一の電力を使用して蓄えたエネルギー量と、第二の電力を使用して蓄えたエネルギー量とを計算するエネルギー構成計算ステップと、制御部がエネルギー構成計算ステップで計算した第一の電力を使用して蓄えたエネルギー量の情報および第二の電力を使用して蓄えたエネルギー量の情報の少なくとも一方を出力する制御ステップと、を有する。
【００１１】
また、本発明に係るプログラムは、コンピュータに、複数の電力供給源が供給する電力を使用して、エネルギーを蓄えるエネルギー蓄積装置がエネルギー蓄積中であることを示す信号を取得する蓄エネ状態取得ステップ、エネルギーを蓄積中に複数の電力供給源が供給する電力のうち、第一の電力供給源が供給する第一の電力の値を取得する第一の電力取得ステップ、エネルギーを蓄積中に複数の電力供給源が供給する電力のうち、第二の電力供給源が供給する第二の電力の値を取得する第二の電力取得ステップ、第一の電力取得ステップで取得した第一の電力の値と、第二の電力取得ステップで取得した第二の電力の値との比から、エネルギー蓄積装置が蓄えたエネルギー量のうち、第一の電力を使用して蓄えたエネルギー量と、第二の電力を使用して蓄えたエネルギー量とを計算するエネルギー構成計算ステップ、エネルギー構成計算ステップで計算した第一の電力を使用して蓄えたエネルギー量の情報および第二の電力を使用して蓄えたエネルギー量の情報の少なくとも一方を出力する制御ステップ、を実行させる。
【発明の効果】
【００１２】
本発明に係る情報出力制御装置によれば、複数の電力供給源が供給する電力を使用して、エネルギーを蓄えるエネルギー蓄積装置がエネルギーを蓄積中であることを示す信号を取得するエネルギー蓄積状態取得部と、エネルギーを蓄積中に複数の電力供給源が供給する電力のうち、第一の電力供給源が供給する第一の電力の値を取得する第一の電力取得部と、エネルギーを蓄積中に複数の電力供給源が供給する電力のうち、第二の電力供給源から供給される第二の電力の値を取得する第二の電力取得部と、第一の電力取得部が取得した第一の電力の値と、第二の電力取得部が取得した第二の電力の値との比から、エネルギー蓄積装置が蓄えたエネルギー量のうち、第一の電力を使用して蓄えたエネルギー量と、第二の電力を使用して蓄えたエネルギー量とを計算するエネルギー構成計算部と、エネルギー構成計算部が計算した第一の電力を使用して蓄えたエネルギー量の情報および第二の電力を使用して蓄えたエネルギー量の情報の少なくとも一方を出力する制御部と、を備えるので、エネルギー蓄積装置がエネルギー蓄積後であっても、エネルギー供給元がどの電力供給源であったのかを識別することができる。
【００１３】
また、本発明に係る情報出力制御装置によれば、複数の電力供給源が供給する電力を使用して、エネルギーを蓄えるエネルギー蓄積装置がエネルギーを蓄積中であることを示す信号を取得するエネルギー蓄積状態取得部と、エネルギーを蓄積中に複数の電力供給源が供給する電力のうち、第一の電力供給源が供給する第一の電力の値を取得する第一の電力取得部と、エネルギーを蓄積中に複数の電力供給源が供給する電力のうち、第二の電力供給源から供給される第二の電力の値を取得する第二の電力取得部と、第一の電力取得部が取得した第一の電力の値と、第二の電力取得部が取得した第二の電力の値との比から、エネルギー蓄積装置が蓄えたエネルギー量のうち、第一の電力を使用して蓄えたエネルギー量と、第二の電力を使用して蓄えたエネルギー量とを計算するエネルギー構成計算部と、エネルギー構成計算部が計算した第二の電力を使用して蓄えたエネルギー量の情報から、エネルギー蓄積装置がエネルギーを蓄積するのに使用した電力が、第一の電力供給源と第二の電力供給源のうち、いずれが供給したかを示す情報を出力する制御部と、を備えるので、エネルギー蓄積装置がエネルギー蓄積後であっても、エネルギー供給元がどの電力供給源であったのかを識別することができる。
【００１４】
また、本発明に係る情報出力制御装置によれば、複数の電力供給源が供給する電力を使用して、エネルギーを蓄えるエネルギー蓄積装置がエネルギーを蓄積中であることを示す信号を取得するエネルギー蓄積状態取得部と、エネルギーを蓄積中に複数の電力供給源が供給する電力のうち、第一の電力供給源が供給する第一の電力の値を取得する第一の電力取得部と、エネルギーを蓄積中に複数の電力供給源が供給する電力のうち、第二の電力供給源から供給される第二の電力の値を取得する第二の電力取得部と、第一の電力取得部が取得した第一の電力の値と、第二の電力取得部が取得した第二の電力の値との比から、エネルギー蓄積装置が蓄えたエネルギー量のうち、第一の電力を使用して蓄えたエネルギー量と、第二の電力を使用して蓄えたエネルギー量とを計算するエネルギー構成計算部と、エネルギー構成計算部が計算した第二の電力を使用して蓄えたエネルギー量から、エネルギー蓄積装置が蓄積したエネルギーを生成するのに使用した電力供給源に対応する色の情報を出力する制御部と、を備えるので、エネルギー蓄積装置がエネルギー蓄積後であっても、エネルギー供給元がどの電力供給源であったのかを識別することができる。
【００１５】
また、本発明に係るエネルギー蓄積システムは、情報出力制御装置と、情報出力制御装置と通信可能な貯湯式給湯機と、を備え、貯湯式給湯機は、複数の電力供給源が供給する電力を使用して生成した湯を、熱エネルギーとして蓄積する貯湯タンクと、貯湯タンクに熱エネルギーを蓄積中であることを情報出力制御装置に送信する送信部と、を備えるので、貯湯式給湯機が貯湯タンクへの熱エネルギー蓄積後であっても、熱エネルギー供給元がどの電力供給源であったのかを識別することができる。
【００１６】
また、本発明に係るエネルギー蓄積方法は、複数の電力供給源が供給する電力を使用して、エネルギーを蓄えるエネルギー蓄積装置がエネルギー蓄積中であることを示す信号を取得するエネルギー蓄積状態取得ステップと、エネルギーを蓄積中に複数の電力供給源が供給する電力のうち、第一の電力供給源が供給する第一の電力の値を取得する第一の電力取得ステップと、エネルギーを蓄積中に複数の電力供給源が供給する電力のうち、第二の電力供給源が供給する第二の電力の値を取得する第二の電力取得ステップと、第一の電力取得ステップで取得した第一の電力の値と、第二の電力取得ステップで取得した第二の電力の値との比から、エネルギー蓄積装置が蓄えたエネルギー量のうち、第一の電力を使用して蓄えたエネルギー量と、第二の電力を使用して蓄えたエネルギー量とを計算するエネルギー構成計算ステップと、エネルギー構成計算ステップで計算した第一の電力を使用して蓄えたエネルギー量の情報および第二の電力を使用して蓄えたエネルギー量の情報の少なくとも一方を出力する制御ステップと、を有するので、エネルギー蓄積装置がエネルギー蓄積後であっても、エネルギー供給元がどの電力供給源であったのかを識別することができる。
【００１７】
また、本発明に係るプログラムは、コンピュータに、複数の電力供給源が供給する電力を使用して、エネルギーを蓄えるエネルギー蓄積装置がエネルギー蓄積中であることを示す信号を取得する蓄エネ状態取得ステップ、エネルギー蓄積中に複数の電力供給源が供給する電力のうち、第一の電力供給源が供給する第一の電力の値を取得する第一の電力取得ステップ、エネルギー蓄積中に複数の電力供給源が供給する電力のうち、第二の電力供給源が供給する第二の電力の値を取得する第二の電力取得ステップ、第一の電力取得ステップで取得した第一の電力の値と、第二の電力取得ステップで取得した第二の電力の値との比から、エネルギー蓄積装置が蓄えたエネルギー量のうち、第一の電力を使用して蓄えたエネルギー量と、第二の電力を使用して蓄えたエネルギー量とを計算するエネルギー構成計算ステップ、エネルギー構成計算ステップで計算した第一の電力を使用して蓄えたエネルギー量の情報と、第二の電力を使用して蓄えたエネルギー量の情報とを区別して出力する制御ステップ、を実行させるので、エネルギー蓄積装置がエネルギー蓄積後であっても、エネルギー供給元がどの電力供給源であったのかを識別することができる。
【図面の簡単な説明】
【００１８】
【図１】実施の形態１に係るエネルギー蓄積システムの構成例を示す図である。
【図２】実施の形態１に係る分電盤内における電力の流れを示す図である。
【図３】実施の形態１に係る貯湯式給湯機の要部を機能的に示すブロック図である。
【図４】実施の形態１に係る情報出力制御装置の機能構成図である。
【図５】実施の形態１に係る貯湯タンクの蓄積エネルギー量を表示する画面の例である。
【図６】実施の形態１に係る情報出力制御処理の一例を示すフローチャートである。
【図７】実施の形態１に係る貯湯タンクの蓄積エネルギー量を表示する画面の遷移例である。
【図８】実施の形態１に係る貯湯タンクの蓄積エネルギー量を表示する画面の別の遷移例である。
【図９】実施の形態１の変形例に係るエネルギー蓄積システムの構成例を示す図である。
【図１０】実施の形態１の変形例に係る分電盤内における電力の流れを示す図である。
【図１１】実施の形態１の変形例に係る蓄電装置の要部を機能的に示すブロック図である。
【図１２】実施の形態１の変形例に係る蓄電池モジュールにおける電圧と蓄電率との関係の一例を示すグラフである。
【図１３】実施の形態１の変形例に係る蓄電池モジュールの蓄積エネルギー量を表示する画面の例である。
【図１４】実施の形態１の変形例に係る情報出力制御処理の一例を示すフローチャートである。
【図１５】実施の形態２に係るエネルギー蓄積システムの構成例を示す図である。
【図１６】実施の形態２に係る情報出力制御装置の機能構成図である。
【図１７】実施の形態２に係る情報出力制御処理の一例を示すフローチャートである。
【図１８】実施の形態２に係る貯湯タンクの蓄積エネルギーを生成した電力供給源を表示する画面の例である。
【図１９】実施の形態２に係る貯湯タンクの蓄積エネルギーを生成した電力供給源を表示する画面の遷移例である。
【図２０】実施の形態２の変形例に係る情報出力制御処理の一例を示すフローチャートである。
【図２１】実施の形態２の変形例に係る表示装置２７０が表示する画面の例である。
【図２２】実施の形態３に係るエネルギー蓄積システムの構成例を示す図である。
【図２３】実施の形態３に係る情報出力制御装置の機能構成図である。
【図２４】実施の形態３に係る出湯先の要部を示すブロック図である。
【図２５】実施の形態３に係る出湯先における光源制御処理の一例を示すフローチャートである。
【図２６】実施の形態３に係るエネルギー蓄積システムにおける湯の熱量と出湯先の動作との関係を示す図である。
【図２７】実施の形態３の第一の変形例に係る出湯先における光源制御処理の一例を示すフローチャートである。
【図２８】実施の形態３の第一の変形例に係るエネルギー蓄積システムにおける湯の熱量と出湯先の動作との関係を示す図である。
【図２９】実施の形態３の第二の変形例に係る出湯先における光源制御処理の一例を示すフローチャートである。
【図３０】実施の形態３の第三の変形例に係る出湯先における光源制御処理の一例を示すフローチャートである。
【図３１】実施の形態３の第三の変形例に係るエネルギー蓄積システムにおける湯の熱量と出湯先の動作との関係を示す図である。
【図３２】実施の形態３の第四の変形例に係る出湯先における光源制御処理の一例を示すフローチャートである。
【図３３】実施の形態３の第四の変形例に係るエネルギー蓄積システムにおける湯の熱量と出湯先の動作との関係を示す図である。
【図３４】実施の形態４に係る出湯先における光源制御処理の一例を示すフローチャートである。
【図３５】実施の形態５に係る情報出力制御装置の機能構成図である。
【図３６】実施の形態５に係る情報出力制御処理の一例を示すフローチャートである。
【図３７】実施の形態５に係る出湯先における光源制御処理の一例を示すフローチャートである。
【図３８】実施の形態６に係るエネルギー蓄積システムの構成例を示す図である。
【図３９】実施の形態６に係る出湯先の要部を示すブロック図である。
【図４０】実施の形態６に係る出湯先における空気混入処理の一例を示すフローチャートである。
【図４１】実施の形態６の変形例に係る出湯先における空気混入処理の一例を示すフローチャートである。
【図４２】本発明に係る情報出力制御装置のハードウェア構成例を示す図である。
【発明を実施するための形態】
【００１９】
以下に、本発明を実施するための形態について図面を参照して詳細に説明する。なお、図中同一または相当する部分には同じ符号を付す。
【００２０】
（実施の形態１）
図１は、本発明の実施の形態１に係るエネルギー蓄積システムの構成例を示す図である。このエネルギー蓄積システム１０００は、複数の電力供給源が供給する電力を使用して、エネルギー蓄積装置へエネルギーを蓄積可能なシステムである。エネルギー蓄積システム１０００は、情報出力制御装置１００と、系統電源２１０と、太陽光発電装置２２０と、パワーコンディショナ２３０と、分電盤２４０と、電力計測装置２５０と、電力負荷２６０ａおよび２６０ｂ（以下、総称する場合は、電力負荷２６０という）と、ネットワークＮ１と、表示装置２７０と、貯湯式給湯機３００と、出湯先３５０ａおよび３５０ｂ（以下、総称する場合は、出湯先３５０という）とで構成される。
【００２１】
太陽光発電装置２２０は、太陽光を利用して発電する分散型の発電装置であり、太陽光発電装置２２０によって発電された発電電力は、パワーコンディショナ２３０によって直流電力から交流電力に変換されて分電盤２４０に供給される。分電盤２４０には、電力会社の系統電源２１０から系統電力も供給される。太陽光発電装置２２０と系統電源２１０は、電力負荷２６０および貯湯式給湯機３００への電力供給源であり、電力負荷２６０および貯湯式給湯機３００は、電力供給源から分電盤２４０に供給された発電電力および系統電力の少なくともいずれかを使用して動作する。
【００２２】
図２は、実施の形態１に係る分電盤２４０内における電力の流れを示す図である。系統電源２１０は、分電盤２４０の主幹２４１に接続される。パワーコンディショナ２３０は、補助線２４２に接続される。主幹２４１および補助線２４２は、分電盤２４０の分岐幹２４３ａ、２４３ｂおよび２４３ｃ（以下、総称する場合は、分岐幹２４３という）に繋がっている。分岐幹２４３には、図示しない電源コンセントが接続され、電力負荷２６０ａおよび２６０ｂ（以下、総称する場合は、電力負荷２６０という）並びに貯湯式給湯機３００に電力が供給される。
【００２３】
電流センサ２４４ａおよび２４４ｂは、それぞれ主幹２４１および補助線２４２に流れる交流電流を検出する。電流センサ２４４ａおよび２４４ｂに接続される信号線は、電力計測装置２５０に接続され、主幹２４１および補助線２４２にそれぞれ流れる電流から、系統電源２１０から供給される系統電力、太陽光発電装置２２０から供給される発電電力のそれぞれの値が電力計測装置２５０で計測される。
【００２４】
すなわち、電力負荷２６０および貯湯式給湯機３００には、系統電源２１０から供給される電力及び太陽光発電装置２２０から供給される電力の少なくともいずれかが分岐幹２４３を介して供給され、電力計測装置２５０は、太陽光発電装置２２０および系統電源２１０から電力負荷２６０および貯湯式給湯機３００に供給されるそれぞれの電力の値を計測する。なお、分岐幹２４３の数および配置は、図２に示す以外に任意に構成してよい。
【００２５】
図１に戻り、電力計測装置２５０と情報出力制御装置１００とは、ネットワークＮ１を介して通信可能に接続され、電力計測装置２５０で計測された系統電源２１０から供給される系統電力の値、および太陽光発電装置２２０から供給される発電電力の値は、ネットワークＮ１を経由して、情報出力制御装置１００に送信される。
【００２６】
図１および図２において、太い実線は電力線を示し、細い実線は装置間でやりとりされる通信信号を示している。電力負荷２６０は、エアコンなどの空調装置、照明装置、冷蔵庫またはテレビなどの電力によって稼働する電気機器である。エネルギー蓄積システム１０００に含まれる電力負荷２６０の種類及び数は、任意でよい。
【００２７】
貯湯式給湯機３００は、太陽光発電装置２２０及び系統電源２１０の少なくともいずれかから分電盤２４０を経て供給される電力を使用して湯を生成し、生成した湯を熱エネルギーとして内部に蓄えるエネルギー蓄積装置である。
【００２８】
図３は、実施の形態１に係る貯湯式給湯機３００の要部を機能的に示すブロック図である。貯湯式給湯機３００は、ヒートポンプ式加熱装置３０１と、貯湯タンク３０６と、水流路３０７と、循環ポンプ３０８と、温度センサ３１０ａ，３１０ｂ，３１０ｃ，３１０ｄ，３１０ｅ（以下、総称する場合は、温度センサ３１０という）と、出湯管３１１と、給水管３１２と、流量センサ３１３と、動作監視部３２０と、貯湯状態算出部３２１と、送信部３２２とで構成される。
【００２９】
貯湯式給湯機３００は、太陽光発電装置２２０及び系統電源２１０の少なくともいずれかから供給される電力を使用してヒートポンプ式加熱装置３０１を運転し、ヒートポンプ式加熱装置３０１が空気に含まれる熱を集めて、湯の沸き上げに活用する給湯機である。
【００３０】
貯湯式給湯機３００において、ヒートポンプ式加熱装置３０１は、水流路３０７によって貯湯タンク３０６と連結され、ヒートポンプ式加熱装置３０１の運転時には、実線の矢印で示すように貯湯タンク３０６の下部から水流路３０７に排出された水が循環ポンプ３０８、ヒートポンプ式加熱装置３０１の放熱器３０４の順に流れ、貯湯タンク３０６の上部に供給される。貯湯タンク３０６は、湯水を貯湯する密閉型のタンクにより構成される。ヒートポンプ式加熱装置３０１は、蒸発器３０２と、圧縮機３０３と、放熱器３０４と、膨張弁３０５とで構成され、ヒートポンプ式加熱装置３０１の運転時には、点線の矢印で示すように蒸発器３０２から圧縮機３０３、放熱器３０４、膨張弁３０５を経る方向に冷媒が移動する。
【００３１】
ヒートポンプ式加熱装置３０１において、蒸発器３０２で空気中の熱が冷媒に吸収され、冷媒は圧縮機３０３で圧縮されて温度が上昇する。放熱器３０４で熱を放出した冷媒は、膨張弁３０５で膨張されて液化され、液化された冷媒が蒸発器３０２に戻る。貯湯タンク３０６の下部から循環ポンプ３０８によって放熱器３０４に導かれた水は、冷媒が放出する熱により加熱され、貯湯タンク３０６の上部に供給される。このため、貯湯タンク３０６の内部には、上部側に高温水が滞留し、下部側に低温水が滞留するように温度成層が形成される。
【００３２】
貯湯タンク３０６は、単一の区分または高さ方向に分割された複数の区分で構成され、図３の例では、貯湯タンク３０６は、上部から下部に向かって、区分３０９ａ，３０９ｂ，３０９ｃ，３０９ｄ，３０９ｅで構成される。区分３０９ａ，３０９ｂ，３０９ｃ，３０９ｄ，３０９ｅには、それぞれの区分における水温を検出する温度センサ３１０ａ，３１０ｂ，３１０ｃ，３１０ｄ，３１０ｅが設けられる。貯湯タンク３０６を構成する区分数および区分方法ならびに温度センサ３１０の数は任意である。
【００３３】
ヒートポンプ式加熱装置３０１で加熱された湯は、貯湯タンク３０６の上部に設けられた出湯管３１１から給湯配管３０に出湯される。貯湯タンク３０６には、出湯管３１１から出湯されたのと同量の水が給水配管３１に接続された給水管３１２から供給される。給水管３１２は、貯湯タンク３０６の下部に設けられる。出湯管３１１の途中には、出湯センサ３１３が設けられ、出湯管３１１から出湯される湯水の容量と温度を検出して、貯湯状態算出部３２１に出力する。
【００３４】
動作監視部３２０は、ヒートポンプ式加熱装置３０１の運転動作を監視し、ヒートポンプ式加熱装置３０１が加熱運転中であれば、送信部３２２は、貯湯式給湯機３００が複数の電力供給源が供給する電力を使用して湯を生成し、生成した湯を熱エネルギーとして貯湯タンク３０６に蓄積中であることを示す信号をネットワークＮ１に出力する。
【００３５】
貯湯状態算出部３２１は、貯湯タンク３０６に蓄えている蓄積エネルギー量、および貯湯タンク３０６から出湯する使用エネルギー量を算出する。貯湯状態算出部３２１は、温度センサ３１０ａ，３１０ｂ，３１０ｃ，３１０ｄ，３１０ｅがそれぞれ検出した貯湯タンク３０６の区分３０９ａ，３０９ｂ，３０９ｃ，３０９ｄ，３０９ｅに貯えられる湯水の水温Ｔ１，Ｔ２，Ｔ３，Ｔ４，Ｔ５（℃）を取得し、例えば下記（１）式を用いて、貯湯タンク３０６が蓄えている蓄積エネルギー量Ｑ（カロリー）を算出する。
【００３６】
【数１】
2018133870.tif 000003
【００３７】
上記（１）式において、ρｋ（ｋ＝１〜５）は、貯湯タンク３０６の各区分３１０における水の密度（キログラム／リットル）であって、温度センサ３１０が検出する各区分３１０における湯水の温度Ｔｋから求められる。上記（１）式において、ｃｋ（ｋ＝１〜５）は、貯湯タンク３０６の各区分３１０における水の比熱（カロリー／グラム℃）であって、各区分３１０における湯水の温度Ｔｋから求められる。上記（１）式において、Ｖｋ（ｋ＝１〜５）は、それぞれ区分３１０ａ〜３１０ｅの容積（リットル）である。
【００３８】
貯湯状態算出部３２１は、流量センサ３１３が検出した出湯管３１１から出湯される湯の容量Ｖｏｕｔ（リットル）と温度Ｔｏｕｔ（℃）を取得し、例えば下記（２）式を用いて、貯湯タンク３０６から出湯される使用エネルギー量Ｑｏｕｔ（カロリー）を算出する。
【００３９】
【数２】
2018133870.tif 000004
【００４０】
上記（２）式において、ρｏｕｔは、出湯管３１１から出湯される湯の密度（キログラム／リットル）であって、出湯センサ３１３が検出する湯水の温度Ｔｏｕｔから求められる。ｃｏｕｔは、Ｔｏｕｔにおける水の比熱（カロリー／グラム℃）である。
【００４１】
貯湯状態算出部３２１は、上記（１）式および（２）式を用いて貯湯タンク３０６に蓄えた湯水の熱量、および貯湯タンク３０６から出湯される湯の熱量を算出するかわりに、貯湯タンク３０６に蓄えた湯水の容量（リットル）、および貯湯タンク３０６から出湯される湯の容量（リットル）を求めてもよい。貯湯タンク３０６に蓄えた湯水の容量は、例えば下記（３）式を用いて、蓄積エネルギー量Ｖ（リットル）として算出される。
【００４２】
【数３】
2018133870.tif 000005
【００４３】
上記（３）式において、有効係数Ｅｋは、Ｔｋ≧所定温度が成立する場合にＥｋ＝１、Ｔｋ＜所定温度が成立する場合にＥｋ＝０とする。すなわち、貯湯状態算出部３２１は、貯湯タンク３０６における所定温度以上の湯水の容量を、貯湯タンク３０６の蓄積エネルギー量Ｖとする。所定温度は、例えば４５℃などとする。例えば、温度センサ３１０ａ，３１０ｂが６０℃を検出し、温度センサ３１０ｃ，３１０ｄ，３１０ｅが４０℃を検出した場合、貯湯状態監視部３２１は、湯水の温度が４５℃以上である区分３０９ａと３０９ｂの容積の和（Ｖａ＋Ｖｂ）を貯湯タンク３０６の蓄積エネルギー量Ｖとして算出する。
【００４４】
貯湯タンク３０６から出湯する湯の容量は、流量センサ３１３が検出したＶｏｕｔ（リットル）である。
【００４５】
貯湯状態算出部３２１は、貯湯タンク３０６の蓄積エネルギー量ＱまたはＶを算出し、送信部３２２は、貯湯状態算出部３２１が算出した蓄積エネルギー量をネットワークＮ１に出力する。
【００４６】
なお、図３では、ヒートポンプ式加熱装置３０１により湯を生成する貯湯式給湯機３００の構成例を示したが、これに限らず、例えば電熱ヒータにより湯を生成する構成としてもよい。
【００４７】
図１に戻り、貯湯式給湯機３００と情報出力制御装置１００とは、電力計測装置２５０と同様に、ネットワークＮ１を介して通信可能に接続され、情報出力制御装置１００は、貯湯式給湯機３００が太陽光発電装置２２０および系統電源２１０の少なくともいずれかから供給される電力を使用して湯を生成し、生成した湯を熱エネルギーとして貯湯タンク３０６に蓄積中であることを示す信号、貯湯タンク３０６に蓄えている蓄積エネルギー量、および貯湯タンク３０６から出湯する使用エネルギー量を、ネットワークＮ１を介して貯湯式給湯機３００から取得する。
【００４８】
ネットワークＮ１の通信方式は、無線方式、有線方式及びこれらの組み合わせのいずれかである。また、ネットワークＮ１は、インターネット、専用線及びこれらの組み合わせのいずれかである。また、ネットワークＮ１として、ＥＣＨＯＮＥＴ  Ｌｉｔｅ（登録商標）に準じたネットワークを用いてもよい。貯湯式給湯機３００は、貯湯タンク３０６に熱エネルギーとして蓄積した湯を給湯配管３０によって出湯先３５０に供給する。
【００４９】
図１において、二重線は、湯水の流れを示している。貯湯式給湯機３００および出湯先３５０には、給水配管３１から市水が供給される。出湯先３５０の例としては、浴槽、シャワー、洗面、台所等が挙げられる。
【００５０】
図４は、実施の形態１に係る情報出力制御装置１００の機能構成図である。情報出力制御装置１００は、エネルギー蓄積状態取得部１０１、第一電力取得部１０２、第二電力取得部１０３、エネルギー構成計算部１０４、制御部１０５、および記憶部１０６を備える。
【００５１】
エネルギー蓄積状態取得部１０１は、貯湯式給湯機３００が太陽光発電装置２２０および系統電源２１０の少なくともいずれかから供給される電力を使用して湯を生成し、生成した湯を熱エネルギーとして貯湯タンク３０６に蓄積中であることを示す信号、貯湯タンク３０６に蓄えている蓄積エネルギー量、および貯湯タンク３０６から出湯する使用エネルギー量を、ネットワークＮ１を介して貯湯式給湯機３００から取得する。
【００５２】
エネルギー蓄積状態取得部１０１が熱エネルギーを貯湯タンク３０６に蓄積中であることを示す信号を取得している間、第一電力取得部１０２は、系統電源２１０から供給される系統電力の値を、第二電力取得部１０３は、太陽光発電装置２２０から供給される発電電力の値を、それぞれネットワークＮ１を介して電力計測装置２５０から取得する。本実施の形態１では、系統電源２１０を第一の電力供給源とし、太陽光発電装置２２０を第ニの電力供給源とする。すなわち、本実施の形態１では、系統電源２１０から供給される系統電力を第一の電力とし、太陽光発電装置２２０から供給される発電電力を第二の電力とする
【００５３】
エネルギー構成計算部１０４は、第一電力取得部１０２が取得した第一の電力の値と、第二電力取得部１０３が取得した第二の電力の値との比から、エネルギー蓄積状態取得部１０１が取得した貯湯タンク３０６の蓄積エネルギー量のうち、第一の電力を使用して蓄えたエネルギー量と、第二の電力を使用して蓄えたエネルギー量とを計算する。
【００５４】
記憶部１０６は、エネルギー構成計算部１０４が計算した蓄積エネルギー量を、第一の電力を使用して蓄えたエネルギー量１０６１と、第二の電力を使用して蓄えたエネルギー量１０６２として、それぞれ記憶する。
【００５５】
制御部１０５は、記憶部１０６が記憶する第一の電力を使用して蓄えたエネルギー量１０６１の情報と、第二の電力を使用して蓄えたエネルギー量１０６２の情報とを区別してネットワークＮ１に出力する。
【００５６】
図１に戻り、表示装置２７０と情報出力制御装置１００とは、電力計測装置２５０および貯湯式給湯機３００と同様に、ネットワークＮ１を介して通信可能に接続され、表示装置２７０は、情報出力制御装置１００の制御部１０５が出力する第一の電力を使用して蓄えたエネルギー量１０６１の情報と、第二の電力を使用して蓄えたエネルギー量１０６２の情報とを区別して表示する情報出力制御装置１００の表示部として機能する。
【００５７】
なお、図１では、表示装置２７０がネットワークＮ１に接続される例を示したが、これに限らず、例えば、ネットワークＮ１とは異なるネットワーク（図示せず）で表示装置２７０と情報出力制御装置１００とが通信する構成であってもよい。その場合は、エネルギー蓄積システム１０００は、情報出力制御装置１００と電力計測装置２５０および貯湯式給湯機３００とを接続するネットワークＮ１と、情報出力制御装置１００と表示装置２７０とを接続するネットワークＮ１とは別のネットワークを備える。
【００５８】
また、表示装置２７０がネットワーク５などと通信するかわりに、ＲＳ−２３２Ｃ、ＵＳＢ（Ｕｎｉｖｅｒｓａｌ  Ｓｅｒｉａｌ  ｂｕｓ）、ＨＤＭＩ（登録商標）といった汎用の規格、または独自の規格を用いて、情報出力制御装置１００と直接接続するようにしてもよい。
【００５９】
また、情報出力制御装置１００と表示装置２７０とが一体で構成されていてもよい。この場合、エネルギー蓄積システム１０００に係る装置数を減らすことができる。
【００６０】
図５は、実施の形態１に係る貯湯タンク３０６の蓄積エネルギー量を表示する画面の例である。図５に示す画面は、表示装置２７０が表示する画面である。表示装置２７０は、貯湯タンク３０６を模式的に表した表示マークＤ３０６を表示する。表示マークＤ３０６の高さは、貯湯タンク３０６の最大蓄積エネルギー量を示す。
【００６１】
表示装置２７０は、表示マークＤ３０６内に第一の電力を使用して蓄えたエネルギー量と、第二の電力を使用して蓄えたエネルギー量とを区別して表示する。
【００６２】
図５において、表示Ｄ１０６１は、貯湯タンク３０６に蓄積したエネルギー量のうち、第一の電力を使用して蓄えたエネルギー量を示し、表示Ｄ１０６２は、貯湯タンク３０６に蓄積したエネルギー量のうち、第二の電力を使用して蓄えたエネルギー量を示している。
【００６３】
表示装置２７０は、表示Ｄ１０６１および表示Ｄ１０６２を互いに色を異ならせるなどして、区別して表示する。例えば、発電電力である第二の電力を使用して蓄えたエネルギー量を示す表示Ｄ１０６２を緑色で表示すると、使用者が省エネ効果を感じやすい。また、緑色以外にも、橙色で表示すると、使用者が太陽光発電を連想しやすく、表示装置２７０は、使用者の好みに応じて、第一の電力と第二の電力を表す色を任意に設定可能としてもよい。
【００６４】
表示装置２７０は、表示Ｄ１０６１および表示Ｄ１０６２の高さを、第一の電力を使用して蓄えたエネルギー量と、第二の電力を使用して蓄えたエネルギー量と、貯湯タンク３０６の最大蓄積エネルギー量とによって、決定する。例えば、表示装置２７０は、第二の電力を使用して蓄えたエネルギー量が第一の電力を使用して蓄えたエネルギー量に比べて大きい場合は、表示Ｄ１０６２の高さを表示Ｄ１０６１の高さよりも高く表示する。また、表示装置２７０は、表示Ｄ１０６１の高さと表示Ｄ１０６２の高さの比を、第一の電力を使用して蓄えたエネルギー量と第二の電力を使用して蓄えたエネルギー量の比に比例するように表示してもよい。
【００６５】
表示装置２７０は、貯湯タンク３０６の蓄積エネルギー量が最大蓄積エネルギー量に近づくほど、表示Ｄ１０６１と表示Ｄ１０６２とを積み上げた高さが表示マークＤ３０６の高さに近くなるよう表示する。
【００６６】
表示装置２７０は、情報出力制御装置１００の制御部１０５が蓄積エネルギー量の情報を出力すると、表示Ｄ１０６１および表示Ｄ１０６２の高さを更新して表示する。情報出力制御装置１００の制御部１０５が出力する蓄積エネルギー量の情報が変化するのに合わせて、表示Ｄ１０６１および表示Ｄ１０６２の高さも変化する。
【００６７】
図５において、第二の電力を使用して蓄えたエネルギー量を示す表示Ｄ１０６２と、第一の電力を使用して蓄えたエネルギー量を示す表示Ｄ１０６１の表示位置の上下関係は、どちらが上であっても構わない。また、表示装置２７０は、貯湯タンク３０６を模式的に表した表示マークＤ３０６上に蓄積エネルギー量を表示するだけでなく、数値またはグラフなどを用いて、第一の電力を使用して蓄えたエネルギー量と、第二の電力を使用して蓄えたエネルギー量を表示してもよい。また、表示装置２７０は、表示Ｄ１０６１，Ｄ１０６２に表示する蓄積エネルギー量を最大蓄積エネルギー量に対する割合で表示してもよい。
【００６８】
次に実施の形態１に係る情報出力制御装置１００が行う処理について、図６を参照して説明する。図６は、実施の形態１に係る情報出力制御処理の一例を示すフローチャートである。情報出力制御装置１００の制御プログラムは、情報出力制御装置１００の電源を入れると起動し、以後情報出力制御装置１００の電源が切られるまで、予め定められた時間ごとに実行される。
【００６９】
ステップＳ１０１において、エネルギー蓄積状態取得部１０１は、貯湯タンク３０６から出湯する使用エネルギー量Ｑｏｕｔを貯湯式給湯機３００からネットワークＮ１を介して取得する。ステップＳ１０１に続いて、エネルギー構成計算部１０４は、ステップＳ１０２において、記憶部１０６が記憶する第二の電力を使用して蓄えたエネルギー量１０６２と、ステップＳ１０１においてエネルギー蓄積状態取得部１０１が取得した使用エネルギー量Ｑｏｕｔとを大小比較する。
【００７０】
ステップＳ１０２において、貯湯タンク３０６から出湯する使用エネルギー量Ｑｏｕｔが第二の電力を使用して蓄えたエネルギー量１０６２の値以下である場合には、エネルギー構成計算部１０４がステップＳ１０３において、第二の電力を使用して蓄えたエネルギー量１０６２から出湯した使用エネルギー量Ｑｏｕｔを減算して、減算後の値を、第二の電力を使用して蓄えたエネルギー量１０６２の更新値として、記憶部１０６に記憶させ、ステップＳ１０４に進む。
【００７１】
ステップＳ１０２において、貯湯タンク３０６から出湯する使用エネルギー量Ｑｏｕｔが第二の電力を使用して蓄えたエネルギー量１０６２の値よりも大きい場合には、エネルギー構成計算部１０４は、ステップＳ１１３において、第二の電力を使用して蓄えたエネルギー量が出湯により全て使用されたとして、第二の電力を使用して蓄えたエネルギー量１０６２をゼロに更新して、記憶部１０６に記憶し直す。
【００７２】
ステップＳ１１３に続いて、エネルギー構成計算部１０４は、ステップＳ１１４において、貯湯タンク３０６から出湯される使用エネルギー量Ｑｏｕｔから、ゼロに更新する前の第二の電力を使用して蓄えたエネルギー量１０６２を減算して得られた超過エネルギー量を、記憶部１０６が記憶する第一の電力を使用して蓄えたエネルギー量１０６１から減算して、減算後の値を、第一の電力を使用して蓄えたエネルギー量１０６１の更新値として、記憶部１０６に記憶させ、ステップＳ１０４に進む。
【００７３】
すなわち、エネルギー構成計算部１０４は、貯湯タンク３０６から湯を出湯すると、貯湯タンク３０６に蓄えている湯水のエネルギー量のうち、まず第二の電力を使用して蓄えたエネルギー量１０６２から、使用エネルギー量Ｑｏｕｔを減算し、第二の電力を使用して蓄えたエネルギー量１０６２がゼロに到達すると、次に第一の電力を使用して蓄えたエネルギー量１０６１から、使用エネルギー量Ｑｏｕｔを減算する。すなわち、本実施の形態においては、第二の電力を使用して蓄えたエネルギーを優先的に用いるとして、蓄えられたエネルギー量の残量を計算する。
【００７４】
貯湯タンク３０６から出湯がない場合、ステップＳ１０１においてエネルギー蓄積状態取得部１０１が取得する使用エネルギー量Ｑｏｕｔはゼロであり、ステップＳ１０２において、必ず記憶部１０６が記憶する第二の電力を使用して蓄えたエネルギー量１０６２の値以下となるので、ステップＳ１０３において、エネルギー構成計算部１０４は、記憶部１０６が記憶する第二の電力を使用して蓄えたエネルギー量１０６２と同じ値を記憶部１０６にもう一度記憶させることになる。
【００７５】
ここで、エネルギー構成計算部１０４は、ステップＳ１０２において使用エネルギー量Ｑｏｕｔがゼロであれば、ステップＳ１０３において、第二の電力を使用して蓄えたエネルギー量１０６２の減算も、記憶部１０６への記憶も行わず、すなわちステップＳ１０３の手続きをスキップし、ステップＳ１０４に進むようにしてもよい。
【００７６】
エネルギー蓄積状態取得部１０１は、ステップＳ１０４において、貯湯式給湯機３００が複数の電力供給源が供給する電力を使用して湯を生成し、生成した湯を熱エネルギーとして貯湯タンク３０６に蓄積中であることを示す信号を、ネットワークＮ１を介して取得する。エネルギー蓄積状態取得部１０３は、ステップＳ１０４において、取得した信号から、貯湯式給湯機３００が貯湯タンク３０６に熱エネルギーを蓄積中であれば、ステップＳ１０５において、貯湯タンク３０６に蓄えているエネルギー量Ｑを貯湯式給湯機３００から取得する。
【００７７】
ステップＳ１０５に続いて、第一電力取得部１０２がステップＳ１０６において、第一の電力（系統電源２１０から供給される系統電力）Ｐｓの値を、第二電力取得部１０３がステップＳ１０７において、第二の電力（太陽光発電装置２２０から供給される発電電力）Ｐｇの値を、いずれもネットワークＮ１を介して電力計測装置２５０から取得する。
【００７８】
ステップＳ１０７に続いて、エネルギー構成計算部１０４は、ステップＳ１０８において、ステップＳ１０１にてエネルギー蓄積状態取得部１０１が取得した貯湯タンク３０６から出湯する使用エネルギー量Ｑｏｕｔと、ステップＳ１０４においてエネルギー蓄積状態取得部１０１が取得した貯湯タンク３０６の蓄積エネルギー量Ｑと、情報出力制御装置１００が予め定められた一定時間ごとに実行する情報出力制御処理において、前の処理実行時の貯湯タンク３０６の蓄積エネルギー量である蓄積エネルギー量Ｑ’とから、（Ｑ−Ｑ’＋Ｑｏｕｔ）を貯湯式給湯機３００が生成した湯水のエネルギー量として算出する。
【００７９】
ステップＳ１０８に続いて、エネルギー構成計算部１０４は、ステップＳ１０９において、例えば、下記（４）式および（５）式を用いて、第一電力取得部１０２がステップＳ１０６にて取得する第一の電力Ｐｓの値と、第二電力取得部１０３がステップＳ１０７にて取得する第二の電力Ｐｇの値との比に応じて、ステップＳ１０８で算出した貯湯式給湯機３００が生成した湯のエネルギー量を、第一の電力を使用して蓄えたエネルギー量Ｑｓと、第二の電力を使用して蓄えたエネルギー量Ｑｇとに配分する。
【００８０】
【数４】
2018133870.tif 000006
【００８１】
【数５】
2018133870.tif 000007
【００８２】
エネルギー構成計算部１０４は、ステップＳ１１０において、ステップＳ１０９にて配分した第一の電力を使用して蓄えたエネルギー量Ｑｓと、第二の電力を使用して蓄えたエネルギー量Ｑｇとを、それぞれ記憶部１０６が記憶する第一の電力を使用して蓄えたエネルギー量１０６１と、第二の電力を使用して蓄えたエネルギー量１０６２とに加算して、加算後の値を、更新された第一の電力を使用して蓄えたエネルギー量１０６１、および更新された第二の電力を使用して蓄えたエネルギー量１０６２の更新値として、記憶部１０６に記憶させる。
【００８３】
ステップＳ１１０に続いて、制御部１０５は、ステップＳ１１１において、ステップＳ１１０にて記憶部１０６が記憶した第一の電力を使用して蓄えたエネルギー量１０６１と、第二の電力を使用して蓄えたエネルギー量１０６２とをネットワークＮ１を介して報知する。表示装置２７０は、ネットワークＮ１を介して情報出力制御装置１００から取得する第一の電力を使用して蓄えたエネルギー量１０６１と、第二の電力を使用して蓄えたエネルギー量１０６２とを、区別して表示する。
【００８４】
図７は、実施の形態１に係る貯湯タンク３０６の蓄積エネルギー量を表示する画面の遷移例である。図７（ａ）は、湯の生成前における貯湯タンク３０６の蓄積エネルギー量の表示画面である。図７（ｂ）は、図７（ａ）に示す状態から、貯湯式給湯機３００が第一の電力を使用して湯を生成し、第一の電力を使用して蓄えたエネルギー量１０６１が増えた状態における貯湯タンク３０６の蓄積エネルギー量の表示画面である。図７（ｃ）は、図７（ｂ）に示す状態から、貯湯式給湯機３００が第二の電力を使用して湯を生成し、第二の電力を使用して蓄えたエネルギー量１０６２が増えた状態における貯湯タンク３０６の蓄積エネルギー量の表示画面である。
【００８５】
図６に戻り、ステップＳ１０４において、エネルギー蓄積状態取得部１０１が貯湯式給湯機３００の貯湯タンク３０６に熱エネルギーを蓄積中でないことを示す信号を取得した場合、貯湯式給湯機３００は湯を生成していないことになる。貯湯式給湯機３００が湯を生成していないので、エネルギー構成計算部１０４は、ステップＳ１０８において貯湯式給湯機３００が生成した湯のエネルギー量を算出する必要がない。エネルギー構成計算部１０４は、ステップＳ１０８において湯のエネルギー量を算出しないので、ステップＳ１０８に続くステップＳ１０９にて湯のエネルギー量の配分も、ステップＳ１１０にて記憶部１０６が記憶するエネルギー量との加算も更新も行う必要がない。すなわち、ステップＳ１０４においてエネルギー蓄積状態取得部１０１が貯湯式給湯機３００の貯湯タンク３０６に熱エネルギーを蓄積中でないことを示す信号を取得した場合、ステップＳ１０４に続いて、制御部１０５がステップＳ１１１において、記憶部１０６が記憶した第一の電力を使用して蓄えたエネルギー量１０６１の情報と、第二の電力を使用して蓄えたエネルギー量１０６２の情報とを区別してネットワークＮ１を介して出力する。
【００８６】
図８は、実施の形態１に係る貯湯タンク３０６の蓄積エネルギー量を表示する画面の別の遷移例である。図８（ａ）は、貯湯タンク３０６の湯水を、第一の電力と第二の電力の両方を使用して生成した状態における貯湯タンク３０６の蓄積エネルギー量の表示画面である。図８（ｂ）は、図８（ａ）に示す状態から、貯湯タンク３０６の出湯がなされ、第二の電力を使用して蓄えたエネルギー量１０６２が減った状態における貯湯タンク３０６の蓄積エネルギー量の表示画面である。図８（ｃ）は、図８（ｂ）に示す状態から、さらに貯湯タンク３０６の出湯が進み、第二の電力を使用して蓄えたエネルギー量１０６２がゼロとなったあと、第一の電力を使用して蓄えたエネルギー量１０６１が減った状態における貯湯タンク３０６の蓄積エネルギー量の表示画面である。
【００８７】
以上で説明したように、実施の形態１に係る情報出力制御装置１００およびエネルギー蓄積システム１０００によれば、複数の電力供給源が供給する電力を使用して、エネルギーを蓄えるエネルギー蓄積装置がエネルギーを蓄積中であることを示す信号を取得するエネルギー蓄積状態取得部１０１と、エネルギーを蓄積中に複数の電力供給源が供給する電力のうち、第一の電力供給源が供給する第一の電力の値を取得する第一電力取得部１０２と、エネルギーを蓄積中に複数の電力供給源が供給する電力のうち、第二の電力供給源が供給する第二の電力の値を取得する第二電力取得部１０３と、第一電力取得部１０２が取得した第一の電力の値と、第二電力取得部１０３が取得した第二の電力の値との比から、エネルギー蓄積装置が蓄えたエネルギー量のうち、第一の電力を使用して蓄えたエネルギー量と、第二の電力を使用して蓄えたエネルギー量とを計算するエネルギー構成計算部１０４と、エネルギー構成計算部１０４が計算した第一の電力を使用して蓄えたエネルギー量の情報および第二の電力を使用して蓄えたエネルギー量の情報の少なくとも一方を出力する制御部１０５とを備えるので、エネルギー蓄積装置がエネルギー蓄積後であっても、エネルギー供給元がどの電力供給源であったのかを識別することができる。
【００８８】
また、実施の形態１に係る情報出力制御装置１００によれば、制御部１０５は、エネルギー構成計算部１０４が計算した第一の電力を使用して蓄えたエネルギー量の情報および第二の電力を使用して蓄えたエネルギー量の情報を区別して出力するので、エネルギー蓄積装置がエネルギー蓄積後であっても、エネルギー供給元がどの電力供給源であったのかを識別することができる。
【００８９】
また、実施の形態１に係る情報出力制御装置１００によれば、エネルギー蓄積装置は、複数の電力供給源が供給する電力を使用して生成した湯を、熱エネルギーとして貯湯タンクに蓄積する貯湯式給湯機３００を含み、制御部１０５は、貯湯タンクを模式的に表した表示マーク内に、第一の電力を使用して蓄えた熱エネルギー量と、第二の電力を使用して蓄えた熱エネルギー量とを区別して表示するよう表示装置２７０を制御するので、エネルギー蓄積装置が電力を使用して蓄積した熱エネルギーを出湯先に供給する貯湯式給湯機３００であることを直感的に認識しやすくなり、貯湯式給湯機３００が蓄えた熱エネルギーの供給元がどの電力供給源であったのかを使用者が視認することができ、電力供給源を識別して湯を使用することで、電気代の節約につながる。
【００９０】
また、実施の形態１に係るエネルギー蓄積方法によれば、複数の電力供給源が供給する電力を使用して、エネルギーを蓄えるエネルギー蓄積装置がエネルギー蓄積中であることを示す信号を取得するエネルギー蓄積状態取得ステップと、エネルギーを蓄積中に複数の電力供給源が供給する電力のうち、第一の電力供給源が供給する第一の電力の値を取得する第一の電力取得ステップと、エネルギーを蓄積中に複数の電力供給源が供給する電力のうち、第二の電力供給源が供給する第二の電力の値を取得する第二の電力取得ステップと、第一の電力取得ステップで取得した第一の電力の値と、第二の電力取得ステップで取得した第二の電力の値との比から、エネルギー蓄積装置が蓄えたエネルギー量のうち、第一の電力を使用して蓄えたエネルギー量と、第二の電力を使用して蓄えたエネルギー量とを計算するエネルギー構成計算ステップと、エネルギー構成計算ステップで計算した第一の電力を使用して蓄えたエネルギー量の情報および第二の電力を使用して蓄えたエネルギー量の情報の少なくとも一方を出力する制御ステップとを有するので、エネルギー蓄積装置がエネルギー蓄積後であっても、エネルギー供給元がどの電力供給源であったのかを識別することができる。
【００９１】
また、実施の形態１に係るプログラムによれば、コンピュータに、複数の電力供給源が供給する電力を使用して、エネルギーを蓄えるエネルギー蓄積装置がエネルギー蓄積中であることを示す信号を取得する蓄エネ状態取得ステップ、エネルギーを蓄積中に複数の電力供給源が供給する電力のうち、第一の電力供給源が供給する第一の電力の値を取得する第一の電力取得ステップ、エネルギーを蓄積中に複数の電力供給源が供給する電力のうち、第二の電力供給源が供給する第二の電力の値を取得する第二の電力取得ステップ、第一の電力取得ステップで取得した第一の電力の値と、第二の電力取得ステップで取得した第二の電力の値との比から、エネルギー蓄積装置が蓄えたエネルギー量のうち、第一の電力を使用して蓄えたエネルギー量と、第二の電力を使用して蓄えたエネルギー量とを計算するエネルギー構成計算ステップ、エネルギー構成計算ステップで計算した第一の電力を使用して蓄えたエネルギー量の情報および第二の電力を使用して蓄えたエネルギー量の情報の少なくとも一方を出力する制御ステップを実行させるので、エネルギー蓄積装置がエネルギー蓄積後であっても、エネルギー供給元がどの電力供給源であったのかを識別することができる。
【００９２】
（実施の形態１の変形例）
以上、複数の電力供給源が供給する電力を使用して、エネルギーを蓄えるエネルギー蓄積装置として、電力を使用して湯を生成し、生成した湯を熱エネルギーとして貯湯タンク３０６に貯える貯湯式給湯機３００を備えるエネルギー蓄積システム１０００について説明した。
【００９３】
これに限らず、エネルギー蓄積システムは、エネルギー蓄積装置として、蓄電装置が含まれる構成であってもよい。このように構成される実施の形態１の変形例について以下に説明する。
【００９４】
図９は、実施の形態１の変形例に係るエネルギー蓄積システム１１００の構成例を示す図である。エネルギー蓄積システム１１００の構成は、実施の形態１に係るエネルギー蓄積システム１０００を構成する貯湯式給湯機３００および出湯先３５０のかわりに、蓄電装置４００を備える。蓄電装置４００は、太陽光発電装置２２０及び系統電源２１０の少なくともいずれかが分電盤２４０を経て供給する電力を電気エネルギーとして内部に蓄えるエネルギー蓄積装置である。
【００９５】
図１０は、実施の形態１の変形例に係る分電盤２４０１内における電力の流れを示す図である。図１０における分電盤２４０１は、分岐幹２４３ｃのかわりに、補助線２４２とは別の補助線２４５を備える。補助線２４５には蓄電装置４００が接続される。蓄電装置４００の充電動作中は、系統電源２１０から供給される電力および太陽光発電装置２２０から供給される電力の少なくともいずれかが補助線２４５を介して蓄電装置４００に供給される。蓄電装置４００の放電動作中は、蓄電装置４００から供給される電力、系統電源２１０から供給される電力および太陽光発電装置２２０から供給される電力の少なくともいずれかが分岐幹２４３を介して電力負荷２６０に供給される。
【００９６】
図１１は、実施の形態１の変形例に係る蓄電装置４００の要部を機能的に示すブロック図である。蓄電装置４００は、パワーコンディショナ４０１と、バッテリマネジメントユニット４０２と、蓄電池モジュール４０３ａ，４０３ｂ，４０３ｃ（以下、総称する場合は、蓄電池モジュール４０３という）と、動作監視部４０４と、蓄電状態算出部４０５とで構成される。蓄電装置４００における蓄電池モジュール４０３の構成数は任意でよい。
【００９７】
蓄電装置４００が充電動作中、パワーコンディショナ４０１は、分電盤２４０１から供給される交流電力であって、系統電源２１０から供給される電力および太陽光発電装置２２０から供給される電力の少なくともいずれかから直流電力を生成する。バッテリマネジメントユニット４０２は、パワーコンディショナ４０１が生成した直流電力を蓄電池モジュール４０３に供給して、蓄電池モジュール４０３は供給された直流電力を電気エネルギーとして内部に蓄積する。
【００９８】
蓄電装置４００が放電動作中、バッテリマネジメントユニット４０２は、蓄電池モジュール４０３から出力される直流電力をパワーコンディショナ４０１に供給する。パワーコンディショナ４０１は、バッテリマネジメントユニット４０２から供給される直流電力から交流電力を生成して、分電盤２４０に供給する。
【００９９】
バッテリマネジメントユニット４０２は、蓄電池モジュール４０３またはパワーコンディショナ４０１への直流電力の供給のほか、各蓄電池モジュール４０３の端子間電圧、電流、電池温度などの電池状態を測定して、蓄電池モジュール４０３の状態を監視する。
【０１００】
動作監視部４０４は、バッテリマネジメントユニット４０２が測定する電流の向きから、蓄電装置４００の運転状態を監視する。動作監視部４０４は、パワーコンディショナ４０１から蓄電池モジュール４０３の方向に電流が流れていれば、蓄電装置４００が充電動作中であるとする。動作監視部４０４は、蓄電装置４００が充電動作中であることを送信部４０６に出力する。送信部４０６は、蓄電装置４００が複数の電力供給源から供給される電力を電気エネルギーとして蓄電池モジュール４０３に蓄積中であることを示す信号をネットワークＮ１に出力する。
【０１０１】
動作監視部４０４は、蓄電池モジュール４０３からパワーコンディショナ４０１の方向に電流が流れていれば、蓄電装置４００が放電動作中であるとする。動作監視部４０４は、蓄電装置４００が放電動作中であることを送信部４０６に出力する。送信部４０６は、蓄電装置４００が蓄積した電気エネルギーを消費中であることを示す信号をネットワークＮ１に出力する。
【０１０２】
蓄電状態算出部４０５は、バッテリマネジメントユニット４０２が測定した電池状態から蓄電池モジュール４０３の蓄電率を算出する。例えば、蓄電状態算出部４０５は、バッテリマネジメントユニット４０２が測定した電流値を積算して蓄電池モジュール４０３の充放電量（アンペアアワー）を求め、蓄電池モジュール４０３の最大蓄積容量（アンペアアワー）に対する割合（％）を蓄電率として算出する。
【０１０３】
他の方法として、例えば、蓄電状態算出部４０５は、蓄電池モジュール４０３の電圧と蓄電率との関係を予め求め、バッテリマネジメントユニット４０２が測定した端子間電圧に対応する蓄電率を予め求めた関係から導出する。
【０１０４】
図１２は、実施の形態１の変形例に係る蓄電池モジュール４０３における電圧と蓄電率との関係の一例を示すグラフである。蓄電装置４００の電圧は、充電動作中の方が放電動作中よりも高くなるので、蓄電池モジュール４０３における電圧と蓄電率との関係は、蓄電装置４００の運転動作によって異なる。
【０１０５】
図１２において、実線Ｌ１は、蓄電装置４００が充電動作中の蓄電池モジュール４０３の電圧と蓄電率との関係を示している。実線Ｌ２は、蓄電装置４００が放電動作中の蓄電池モジュール４０３の電圧と蓄電率との関係を示している。実線Ｌ３は、蓄電装置４００が待機中、すなわち充放電動作を行わない状態での電池モジュール４０３の電圧と蓄電率との関係を示している。蓄電状態算出部４０５は、さらに、蓄電装置４００の電池温度による運転効率を考慮してもよい。
【０１０６】
例えば、蓄電状態算出部４０５は、蓄電池モジュール４０３の電圧と蓄電率との関係を、電池温度の範囲ごとに予め求め、バッテリマネジメントユニット４０２が測定した蓄電池モジュール４０３の電池温度と端子間電圧に対応する蓄電率を、予め求めた関係から導出する。
【０１０７】
また、蓄電状態算出部４０５は、上述した電流値を積算して充放電量を算出する方法と、予め求めた端子間電圧に対応する蓄電率を導出する方法を組み合わせてもよい。例えば、蓄電状態算出部４０５は、蓄電池モジュール４０３の蓄電率が予め定められた範囲にあるときは、バッテリマネジメントユニット４０２が測定した電流値を積算して求めた充放電量から蓄電率を算出し直し、蓄電池モジュール４０３の蓄電率が予め定められた範囲を下回ったとき、または上回ったときには、バッテリマネジメントユニット４０２が測定した端子間電圧に対応する蓄電率を導出する。
【０１０８】
蓄電状態算出部４０５は、蓄電池モジュール４０３に蓄えているエネルギー量として、導出した蓄電率を送信部４０６に出力してもよいし、蓄電率と最大蓄積容量とから蓄電量を算出して送信部４０６に出力してもよい。
【０１０９】
送信部４０６は、蓄電状態算出部４０５が導出したエネルギー量をネットワークＮ１に出力する。
【０１１０】
図９に戻り、情報出力制御装置１００は、蓄電装置４００が太陽光発電装置２２０および系統電源２１０の少なくともいずれかから供給される電力を電気エネルギーとして蓄電池モジュール４０３に蓄積中、または蓄電池モジュール４０３に蓄積した電気エネルギーを消費中であることを示す信号、および蓄電池モジュール４０３に蓄えているエネルギー量を、ネットワークＮ１を介して蓄電装置４００から取得する。
【０１１１】
実施の形態１の変形例に係る情報出力制御装置１００の構成要素は、実施の形態１に係る情報出力制御装置１００の各構成要素が貯湯式給湯機３００の情報を扱うかわりに、蓄電装置４００に関わる情報を扱う点が異なる。
【０１１２】
エネルギー蓄積状態取得部１０１は、貯湯式給湯機３００の熱エネルギー蓄積状態に関する情報のかわりに、蓄電装置４００が太陽光発電装置２２０および系統電源２１０の少なくともいずれかから供給される電力を電気エネルギーとして蓄電池モジュール４０３に蓄積中であることを示す信号、または蓄電池モジュール４０３に蓄積した電気エネルギーを消費中であることを示す信号、および蓄電池モジュール４０３に蓄えているエネルギー量を、ネットワークＮ１を介して蓄電装置４００から取得する。
【０１１３】
第一電力取得部１０２は、蓄電装置４００が電気エネルギーを蓄電池モジュール４０３に蓄積中、第一の電力の値を電力計測装置２５０から取得する。第二電力取得部１０３は、蓄電装置４００が電気エネルギーを蓄電池モジュール４０３に蓄積中、第二の電力の値を電力計測装置２５０から取得する。エネルギー構成計算部１０４は、第一の電力の値と、第二の電力の値との比から、エネルギー蓄積状態取得部１０１が取得した蓄電池モジュール４０３に蓄えているエネルギー量のうち、第一の電力を使用して蓄えたエネルギー量と、第二の電力を使用して蓄えたエネルギー量とを計算する。
【０１１４】
第一の電力を使用して蓄えた蓄電量と、第二の電力を使用して蓄えた蓄電量は、それぞれ第一の電力を使用して蓄えたエネルギー量１０６１と、第二の電力を使用して蓄えたエネルギー量１０６２として記憶部１０６に記憶され、制御部１０５によりネットワークＮ１を介して表示装置２７０に出力される。
【０１１５】
図１３は、実施の形態１の変形例に係る蓄電池モジュール４０３の蓄積エネルギー量を表示する画面の例である。図１３に示す画面は、表示装置２７０に表示される。表示装置２７０は、貯湯タンク３０６を模式的に表した表示マークＤ３０６の代わりに、電池を模式的に表した表示マークＤ３９６を表示する。
【０１１６】
表示マークＤ３９６の高さは、蓄電池モジュール４０３の最大蓄積エネルギー量を示し、表示装置２７０は、表示マークＤ３９６内に第一の電力を使用して蓄えたエネルギー量を示す表示Ｄ１９６１と、第二の電力を使用して蓄えたエネルギー量を示す表示Ｄ１９６２とを区別して表示する。図１３では、表示装置２７０が蓄電率を用いてそれぞれのエネルギー量を表示する例を示している。これに限らず表示装置２７０は、蓄電量を用いてそれぞれのエネルギー量を表示してもよい。
【０１１７】
次に実施の形態１の変形例に係る情報出力制御装置１００が行う処理について、図１４を参照して説明する。図１４は、実施の形態１の変形例に係る情報出力制御処理の一例を示すフローチャートである。
【０１１８】
ステップＳ１２１において、エネルギー蓄積状態取得部１０１は、蓄電装置４００が太陽光発電装置２２０および系統電源２１０の少なくともいずれかから供給される電力を電気エネルギーとして蓄電池モジュール４０３に蓄積中であることを示す信号、または蓄電池モジュール４０３に蓄積した電気エネルギーを消費中であることを示す信号、および蓄電池モジュール４０３に蓄えているエネルギー量Ｃを、蓄電装置４００から取得する。ステップＳ１２１に続いて、エネルギー蓄積状態取得部１０１は、ステップＳ１２２において、蓄電装置４００が電気エネルギーを蓄積中であれば、第一電力取得部１０２がステップＳ１２３において、第一の電力Ｐｓの値を、第二電力取得部１０３がステップＳ１２４において、第二の電力Ｐｇの値を、いずれもネットワークＮ１を介して電力計測装置２５０から取得する。
【０１１９】
ステップＳ１２４に続いて、エネルギー構成計算部１０４は、ステップＳ１２５において、ステップＳ１２１にてエネルギー蓄積状態取得部１０１が取得した蓄電池モジュール４０３の蓄積エネルギー量Ｃと、情報出力制御装置１００が予め定められた一定時間ごとに実行する情報出力制御処理において、前の処理実行時の蓄電池モジュール４０３の蓄積エネルギー量である蓄積エネルギー量Ｃ’とから、（Ｃ−Ｃ’）を蓄電装置４００が蓄積した電気エネルギー量として算出する。
【０１２０】
ステップＳ１２５に続いて、エネルギー構成計算部１０４は、ステップＳ１２６において、例えば、下記（６）式および（７）式を用いて、第一電力取得部１０２がステップＳ１２３にて取得する第一の電力Ｐｓの値と、第二電力取得部１０３がステップＳ１２４にて取得する第二の電力Ｐｇの値との比に応じて、ステップＳ１２５で算出した蓄電装置４００が蓄積した電気エネルギー量を、第一の電力を使用して蓄えたエネルギー量Ｃｓと、第二の電力を使用して蓄えたエネルギー量Ｃｇとに配分する。
【０１２１】
【数６】
2018133870.tif 000008
【０１２２】
【数７】
2018133870.tif 000009
【０１２３】
エネルギー構成計算部１０４は、ステップＳ１２７において、ステップＳ１２６にて配分した第一の電力を使用して蓄えたエネルギー量Ｃｓと、第二の電力を使用して蓄えたエネルギー量Ｃｇとを、それぞれ記憶部１０６が記憶する第一の電力を使用して蓄えたエネルギー量１０６１と、第二の電力を使用して蓄えたエネルギー量１０６２とに加算する。エネルギー構成計算部１０４は、そして、図６におけるステップＳ１１０と同様に、加算後の値を、記憶部１０６に記憶させる。ステップＳ１２７に続いて、制御部は、ステップＳ１２８において、図６におけるステップＳ１１１と同様に第一の電力を使用して蓄えたエネルギー量１０６１と、第二の電力を使用して蓄えたエネルギー量１０６２とをネットワークＮ１を介して報知する。
【０１２４】
ステップＳ１２２において、蓄電装置４００が電気エネルギーを蓄積中でない場合、エネルギー蓄積状態取得部１０１は、ステップＳ１２９に進む。ステップＳ１２９において、蓄電装置４００が電気エネルギーを消費中である場合、エネルギー構成計算部１０４はステップＳ１３０において、ステップＳ１２１にてエネルギー蓄積状態取得部１０１が取得した蓄電池モジュール４０３の蓄積エネルギー量Ｃと、前の処理実行時の蓄電池モジュール４０３の蓄積エネルギー量である蓄積エネルギー量Ｃ’とから、（Ｃ’−Ｃ）を蓄電装置４００が消費した電気エネルギー量として算出する。
【０１２５】
ステップＳ１３０に続いて、エネルギー構成計算部１０４は、ステップＳ１３１において、記憶部１０６が記憶する第二の電力を使用して蓄えたエネルギー量１０６２と、ステップＳ１３０において算出した蓄電装置４００の消費エネルギー量（Ｃ’−Ｃ）とを大小比較する。
【０１２６】
ステップＳ１３１において、蓄電装置４００の消費エネルギー量（Ｃ’−Ｃ）が第二の電力を使用して蓄えたエネルギー量１０６２の値以下である場合には、エネルギー構成計算部１０４がステップＳ１３２において、第二の電力を使用して蓄えたエネルギー量１０６２から消費エネルギー量（Ｃ’−Ｃ）を減算して、減算後の値を、第二の電力を使用して蓄えたエネルギー量１０６２の更新値として、記憶部１０６に記憶させ、ステップＳ１２８に進む。
【０１２７】
ステップＳ１３１において、蓄電装置４００の消費エネルギー量（Ｃ’−Ｃ）が第二の電力を使用して蓄えたエネルギー量１０６２の値よりも大きい場合には、エネルギー構成計算部１０４は、ステップＳ１３３において、第二の電力を使用して蓄えたエネルギー量が蓄電装置４００の放電運転により全て使用されたとして、第二の電力を使用して蓄えたエネルギー量１０６２をゼロに更新して、記憶部１０６に記憶し直す。
【０１２８】
ステップＳ１３３に続いて、エネルギー構成計算部１０４は、ステップＳ１３４において、蓄電装置４００の消費エネルギー量（Ｃ’−Ｃ）から、ゼロに更新する前の第二の電力を使用して蓄えたエネルギー量１０６２を減算して得られた超過エネルギー量を、記憶部１０６が記憶する第一の電力を使用して蓄えたエネルギー量１０６１から減算する。エネルギー構成計算部１０４は、減算結果を、第一の電力を使用して蓄えたエネルギー量１０６１の更新値として、記憶部１０６に記憶させ、ステップＳ１２８に進む。
【０１２９】
すなわち、エネルギー構成計算部１０４は、実施の形態１と同様に、第二の電力を使用して蓄えたエネルギーを優先的に用いるとして、蓄えたエネルギー量の残量を計算する。
【０１３０】
ステップＳ１２９において、蓄電装置４００が電気エネルギーを消費中でない場合、ステップＳ１２９に続いて、制御部１０５がステップＳ１２８において、記憶部１０６が記憶した第一の電力を使用して蓄えたエネルギー量１０６１の情報と、第二の電力を使用して蓄えたエネルギー量１０６２の情報とを区別してネットワークＮ１を介して出力する。
【０１３１】
以上のように、実施の形態１の変形例に係る情報出力制御装置１００およびエネルギー蓄積システム１１００によれば、エネルギー蓄積装置は、複数の電力供給源が供給する電力を電気エネルギーとして、蓄電池に蓄積する蓄電装置４００を含み、制御部１０５は、蓄電池を模式的に表した表示マーク内に、第一の電力を使用して蓄えたエネルギー量の情報および第二の電力を使用して蓄えたエネルギー量の情報を区別して表示するよう表示装置２７０を制御するので、エネルギー蓄積装置が蓄積した電気エネルギーを電力負荷２６０に供給する蓄電装置４００であることを直感的に認識しやすくなり、蓄電装置４００が蓄えた電気エネルギーの供給元がどの電力供給源であったのかを使用者が視認することができ、電力供給源を識別して電気エネルギーを使用することで、電気代の節約につながる。
【０１３２】
以上、情報出力制御装置１００がネットワークＮ１を介して通信可能なエネルギー蓄積装置および電力計測装置２５０から情報を取得して、複数の電力供給源が供給する電力を使用して、エネルギーを蓄積するエネルギー蓄積装置へのエネルギー供給元がどの電力供給源であったのかを識別するエネルギー蓄積システム１０００，１１００について説明した。
【０１３３】
これに限らず、例えば、エネルギー蓄積システム１０００，１１００は、エネルギー蓄積装置が情報出力制御装置１００の機能を備える構成であってもよい。その場合、貯湯式給湯機３００，蓄電装置４００は、エネルギー蓄積状態取得部１０１、第一電力取得部１０２、第二電力取得部１０３、エネルギー構成計算部１０４、制御部１０５、および記憶部１０６を備える。これにより、エネルギー蓄積システム１０００，１１００を構成する装置の数を減らせる。
【０１３４】
また、貯湯式給湯機３００、蓄電装置４００は、一般に、使用者が電源入切またはタイマ設定などを行うためのコントローラを備えており、表示装置２７０の機能をコントローラのモニタで実現することにより、さらにエネルギー蓄積システム１０００，１１００の規模を小さくすることができる。
【０１３５】
なお、エネルギー蓄積装置の蓄積エネルギー情報は、図５、図７、図８、および図１３に示す画面や数値、グラフなどを用いるかわりに、表示画面の輝度を変更することにより表現してもよい。例えば、表示装置２７０は、情報出力制御装置１００から取得した第二の電力を使用して蓄えたエネルギー量１０６２の数値が大きければ輝度を高くし、第二の電力を使用して蓄えたエネルギー量１０６２の減少に応じて輝度を低くするように動作してもよい。これにより、表示画面の内容を読み取らずして、エネルギー蓄積装置の蓄積エネルギー情報を直感的に認識することができる。
【０１３６】
また、エネルギー蓄積システムは、エネルギー蓄積装置として、貯湯式給湯機３００と蓄電装置４００の双方を備える構成であってもよい。その場合、表示装置２７０は、貯湯タンク３０６を模式的に表した図５と、蓄電装置４００を模式的に表した図１３との両方を表示する。
【０１３７】
（実施の形態２）
上述の実施の形態１では、表示装置２７０が情報出力制御装置１００から取得した第一の電力を使用して蓄えたエネルギー量１０６１の情報と、第二の電力を使用して蓄えたエネルギー量１０６２の情報とを区別して表示していた。実施の形態２に示すエネルギー蓄積システム２０００は、情報出力制御装置１００がそれぞれの電力を使用して蓄えたエネルギー量の情報を区別して出力するかわりに、エネルギー供給元がどの電力供給源であるかを示す情報を出力し、表示装置２７０がエネルギー供給元の情報を取得して表示する。このように構成される実施の形態２に示すエネルギー蓄積システムについて以下に説明する。
【０１３８】
図１５は、実施の形態２に係るエネルギー蓄積システムの構成例を示す図である。実施の形態２に係るエネルギー蓄積システム２０００は、実施の形態１のエネルギー蓄積システム１０００の情報出力制御装置１００が情報出力制御装置１２０に置き換わる以外は、エネルギー蓄積システム１０００と同じであり、説明を省略する。図１６は、実施の形態２に係る情報出力制御装置１２０の機能構成例を示す図である。情報出力制御装置１２０の構成は、実施の形態１の情報出力制御装置１００の制御部１０５が制御部１２５に置き換わる以外は、情報出力制御装置１００と同じであり、それ以外の説明を省略する。制御部１２５は、記憶部１０６が記憶する第二の電力を使用して蓄えたエネルギー量１０６２から、貯湯タンク３０６に熱エネルギーを蓄積するのに使用する電力を、第一の電力供給源と第二の電力供給源のうち、いずれが供給したかを示す情報をネットワークＮ１に出力する。表示装置２７０は、制御部１２５が出力した熱エネルギーを生成する電力供給源を示す情報をネットワークＮ１から取得して、表示する。
【０１３９】
図１７は、実施の形態２に係る情報出力制御処理の一例を示すフローチャートである。図１７において、ステップＳ１０１からステップＳ１１０までの処理と、ステップＳ１１３からステップＳ１１４までの処理は、図６で説明したのと同じである。
【０１４０】
ステップＳ１０４においてエネルギー蓄積状態取得部１０１が貯湯式給湯機３００の貯湯タンク３０６に熱エネルギーを蓄積中でないことを示す信号を取得した場合、または、ステップＳ１１０に続いて、制御部１２５は、ステップＳ１４１において、第二の電力を使用して蓄えたエネルギー量１０６２がゼロより大きければ、ステップＳ１４２に進む。ステップＳ１４２において、制御部１２５は、湯を生成するのに使用したエネルギーの供給元が第二の電力供給源であることを示す情報をネットワークＮ１に出力する。
【０１４１】
制御部１２５は、ステップＳ１４１において第二の電力を使用して蓄えたエネルギー量１０６２がゼロであれば、ステップＳ１４３に進む。ステップＳ１４３において、制御部１２５は、湯を生成するのに使用したエネルギーの供給元が第一の電力供給源であることを示す情報をネットワークＮ１に出力する。表示装置２７０は、ステップＳ１４２またはステップＳ１４３においてネットワークＮ１に出力された情報を取得する。
【０１４２】
図１８は、実施の形態２に係る貯湯タンクの蓄積エネルギーを生成した電力供給源を表示する画面の例である。表示装置２７０は、図１８に示す画面を表示する。表示装置２７０は、取得した電力供給源に対応する背景Ｄ３０５を表示し、その上にテキスト表示領域Ｄ３０５１を設けて、第一の電力または第二の電力のいずれを使用して蓄えた湯を使用できるかを通知する。電力供給源に対応する背景Ｄ３０５は、予め表示装置２７０において定められる。例えば、第二の電力供給源に対応する背景Ｄ３０５を緑色などで表示すると、使用者が省エネ効果を感じやすい。また、第二の電力供給源に対応する背景Ｄ３０５の補色を第一の電力供給源に対応する背景Ｄ３０５と予め定めることで、両者の区別がつきやすくなる。
【０１４３】
図１９は、実施の形態２に係る貯湯タンク３０６の蓄積エネルギーを生成した電力供給源を表示する画面の遷移例である。図１９（ａ）は、表示装置２７０が湯を生成した電力が第二の電力供給源から供給されたことを示す情報を取得したときの表示画面、図１９（ｂ）は、表示装置２７０が湯を生成した電力が第一の電力供給源から供給されたことを示す情報を取得したときの表示画面である。第一の電力供給源に対応する背景Ｄ３０５と第二の電力供給源に対応する背景Ｄ３０５は、色で区別するほか、輝度の差で区別してもよいし、マークや画像などのいずれで区別してもよい。表示装置２７０が取得する貯湯タンク３０６の蓄積エネルギーを生成した電力供給源を示す情報が変化すると、テキスト表示領域Ｄ３０５１に通知された電力供給源に加えて、背景Ｄ３０５を変化させることにより、使用者は、湯を生成した電力供給源が変化したことを認識することができる。このとき、電力供給源に対応して背景Ｄ３０５を変化させることで、使用者は背景Ｄ３０５を視認するだけで、電力供給源が変化したことを認識することができる。
【０１４４】
以上のように、実施の形態２に係る情報出力制御装置１２０およびエネルギー蓄積システム２０００によれば、複数の電力供給源が供給する電力を使用して、エネルギーを蓄えるエネルギー蓄積装置がエネルギーを蓄積中であることを示す信号を取得するエネルギー蓄積状態取得部１０１と、エネルギーを蓄積中に複数の電力供給源が供給する電力のうち、第一の電力供給源が供給する第一の電力の値を取得する第一電力取得部１０２と、エネルギーを蓄積中に複数の電力供給源が供給する電力のうち、第二の電力供給源が供給する第二の電力の値を取得する第二電力取得部１０３と、第一電力取得部１０２が取得した第一の電力の値と、第二電力取得部１０３が取得した第二の電力の値との比から、エネルギー蓄積装置が蓄えたエネルギー量のうち、第一の電力を使用して蓄えたエネルギー量と、第二の電力を使用して蓄えたエネルギー量とを計算するエネルギー構成計算部１０４と、エネルギー構成計算部１０４が計算した第二の電力を使用して蓄えたエネルギー量から、エネルギー蓄積装置がエネルギーを蓄積するのに使用した電力が、第一の電力供給源と第二の電力供給源のうち、いずれが供給したかを示す情報を出力する制御部１２５を備えるので、エネルギー蓄積装置がエネルギー蓄積後であっても、エネルギー供給元がどの電力供給源であったのかを識別することができる。
【０１４５】
また、実施の形態２に係る情報出力制御装置１２０によれば、エネルギー蓄積装置は、複数の電力供給源が供給する電力を使用して生成した湯を、熱エネルギーとして貯湯タンクに蓄積する貯湯式給湯機３００を含み、制御部１２５は、エネルギー蓄積装置が蓄積した熱エネルギーが第一の電力を使用して蓄えた熱エネルギーであるか、第二の電力を使用して蓄えた熱エネルギーであるかを表示するよう表示装置２７０を制御するので、貯湯式給湯機３００が蓄えた熱エネルギーの供給元がどの電力供給源であったのかを使用者が視認することができ、電力供給源を識別して湯を使用することで、電気代の節約につながる。
【０１４６】
（実施の形態２の変形例）
実施の形態１の変形例に係る蓄電装置４００を含むエネルギー蓄積システム１１００が情報出力制御装置１００のかわりに、実施の形態２で説明した情報出力制御装置１２０を備える構成であってもよい。このように構成される実施の形態２の変形例について以下に説明する。実施の形態２の変形例に係るエネルギー蓄積システム２１００は、実施の形態１の変形例のエネルギー蓄積システム１１００の情報出力制御装置１００が情報出力制御装置１２０に置き換わる以外は、エネルギー蓄積システム１１００と同じであり、説明を省略する。
【０１４７】
図２０は、実施の形態２の変形例に係る情報出力制御処理の一例を示すフローチャートである。図２０において、ステップＳ１２１からステップＳ１３４までの処理は、図１４で説明したのと同じである。
【０１４８】
ステップＳ１２７、ステップＳ１３２、またはステップＳ１３４に続いて、制御部１２５は、ステップＳ１５１において、第二の電力を使用して蓄えたエネルギー量１０６２がゼロより大きければ、ステップＳ１５２に進む。ステップＳ１５２において、制御部１２５は、蓄電装置４００が蓄積した電気エネルギーの供給元が第二の電力供給源であることを示す情報をネットワークＮ１に出力する。
【０１４９】
制御部１２５は、ステップＳ１５１において第二の電力を使用して蓄えたエネルギー量１０６２がゼロであれば、ステップＳ１５３に進む。ステップＳ１５３において、制御部１２５は、蓄電装置４００が蓄積した電気エネルギーの供給元が第一の電力供給源であることを示す情報をネットワークＮ１に出力する。表示装置２７０は、ステップＳ１５２またはステップＳ１５３においてネットワークＮ１に出力された情報を取得する。
【０１５０】
図２１は、実施の形態２の変形例に係る表示装置２７０が表示する画面の例である。実施の形態２に係る表示装置２７０が表示する画面と同様に、取得した電力供給源に対応する背景Ｄ３９５に重ねて、第一の電力または第二の電力のいずれを使用して蓄えた電気エネルギーを使用できるかを通知するテキスト表示領域Ｄ３９５１を設ける。
【０１５１】
以上のように、実施の形態２の変形例に係る情報出力制御装置１２０およびエネルギー蓄積システム２１００によれば、エネルギー蓄積装置は、複数の電力供給源が供給する電力を電気エネルギーとして、蓄電池に蓄積する蓄電装置４００を含み、制御部１２５は、エネルギー蓄積装置が蓄積した電気エネルギーが第一の電力を使用して蓄えた電気エネルギーであるか、第二の電力を使用して蓄えた電気エネルギーであるかを表示するよう表示装置２７０を制御するので、蓄電装置４００が蓄えた電気エネルギーの供給元がどの電力供給源であったのかを使用者が視認することができ、電力供給源を識別して電気エネルギーを使用することで、電気代の節約につながる。
【０１５２】
（実施の形態３）
上述の実施の形態１および実施の形態２では、貯湯式給湯機３００が貯湯タンク３０６に蓄積している熱エネルギーのうち、第一の電力を使用して生成した熱エネルギー量と、第二の電力を使用して生成した熱エネルギー量とを表示装置２７０が区別して表示することで、エネルギー供給元がどの電力供給源であったのかを識別できるようにしていた。実施の形態３に示すエネルギー蓄積システムは、エネルギー供給元がどの電力供給源であったのかを表示装置２７０が区別して表示するかわりに、出湯先３６０に設けられた光源３６８を制御することで、出湯先の使用者に、どの電力供給源が供給する電力を使用して生成した湯を使用中であるかを提示する。このように構成される実施の形態３に示すエネルギー蓄積システム３０００について以下に説明する。
【０１５３】
図２２は、本発明の実施の形態３に係るエネルギー蓄積システム３０００の構成例を示す図である。
【０１５４】
本発明の実施の形態３に係るエネルギー蓄積システム３０００は、情報出力制御装置１３０と、湯の出湯先３６０とがネットワークＮ１を介して接続され、湯の出湯先３６０が情報出力制御装置１３０からの出力信号を受信して動作する点で実施の形態１に係るエネルギー蓄積システム１０００と異なる以外は、実施の形態１と同じである。図２３は、実施の形態３に係る情報出力制御装置１３０の機能構成例を示す図である。情報出力制御装置１３０の構成は、実施の形態１の情報出力制御装置１００の制御部１０５が制御部１３５に置き換わる以外は、情報出力制御装置１００と同じであり、それ以外の説明を省略する。制御部１３５は、記憶部１０６が記憶する第一の電力を使用して蓄えたエネルギー量１０６１の情報と、第二の電力を使用して蓄えたエネルギー量１０６２の情報のうち、第二の電力を使用して蓄えたエネルギー量１０６２の情報のみをネットワークＮ１に出力する。湯の出湯先３６０は、制御部１３５が出力した第二の電力を使用して蓄えたエネルギー量１０６２の情報をネットワークＮ１から取得して、出湯先３６０に設けられた光源３６８を制御する。
【０１５５】
図２４は、湯の出湯先３６０の要部を示すブロック図である。
【０１５６】
湯の出湯先３６０の要部は、例えば浴槽またはシンクなどの上部に取り付けられる水栓装置を構成する。
【０１５７】
出湯先３６０は、吐水管３６１、吐水流路３６２、吐水口３６３、受信部３６４、開閉操作部３６５、開閉操作検知部３６６、光源制御部３６７、光源３６８、及びバルブ３６９を備える。
【０１５８】
受信部３６４は、ネットワークＮ１を介して情報出力制御装置１００と通信可能であり、情報出力制御装置１００が出力する第二の電力を使用して蓄えたエネルギー量１０６２を受信する。
【０１５９】
開閉操作部３６５は、上下動および左右に回動可能な操作レバーなどで構成される。上下動により吐水状態と止水状態とを切り換え、左右への回動により湯水の温度を調整できる。
【０１６０】
開閉操作検知部３６６は、開閉操作部３６５が操作されると、開閉操作部３６５の上下位置から開栓操作または閉栓操作を検知し、開閉操作部３６５の左右位置から湯水の温度設定操作を検知して、バルブ３６９および光源制御部３６７に出力する。
【０１６１】
バルブ３６９には、給湯配管３０と給水配管３１が接続され、貯湯式給湯機３００の貯湯タンク３０６の湯が給湯配管３０から、市水が給水配管３１からそれぞれ流入する。バルブ３３９は、開閉操作検知部３６６が検知した温度設定操作にもとづいて、流入した湯と水の混合量を調整する。バルブ３６９は、混合した湯水を吐水管３６１内に形成される吐水流路３６２に吐水する。吐水された湯水は、吐水流路３６２を経由して吐水口３６３から、浴槽またはシンクなどに向けて吐水する。開閉操作検知部３６６が開栓操作を検知すると、光源制御部３６７は、開閉操作検知部３６６が検知した温度設定操作から、吐水流路３６２への吐水に給湯配管３０から流入する湯が含まれるかどうかを判断する。吐水流路３６２への吐水に給湯配管３０から流入する湯、すなわち貯湯タンク３０６の湯が含まれる場合、光源制御部３６７は、受信部３６４が受信した湯を生成した電力供給源を示す情報に対応して、光源３６８の色を変化させるよう光源３６８を制御する。
【０１６２】
光源３６８は、例えば３つのＬＥＤなどの発光体で構成され、それぞれ光の三原色である赤色、青色、緑色を放光する。
【０１６３】
光源制御部３６７は、３つの発光体のオン／オフおよびオンの場合の明るさの程度を個別に制御して、光源３６８から複数色の光を発光可能となっている。光源３６８は、吐水管３６１に形成された穿孔（図示せず）に配置され、穿孔から吐水管３６１内に光を照射する。
【０１６４】
光源３６８が吐水管３６１内に照射した光は、湯水による屈折、または吐水流路３６２の内面における反射などを受けて、吐水口３６３の方向へ向かい、吐水口３６３から吐水される湯水を照らす。吐水口３６３は、光源３６８の光で照らされた湯を浴槽またはシンクなどに吐水する。
【０１６５】
光源３６８を構成する発光体は、二色以下で構成されても構わない。この場合、表現可能な色の種類は限定されるが、使用する発光体の数を減らして、安価に構成することができる。
【０１６６】
また、光源３６８は、図２４に示す位置以外に、吐水口３６３の上方に取付けられて、吐水口の上方から吐水流路３６２を流れる湯水に照射されるように構成されてもよい。
【０１６７】
また、吐水口３６３には、目の細かい２つ以上の出湯孔を形成してシャワー出湯可能なシャワー専用ヘッドを構成してもよく、そして、ストレート出湯とシャワー出湯を切換え操作するための把手を設け、把手の操作によりストレート出湯とシャワー出湯を切換え可能に構成されてもよい。
【０１６８】
次に実施の形態３に係る湯の出湯先３６０における光源制御処理について、図２５を参照して説明する。図２５は、実施の形態３に係る出湯先３６０における光源制御処理の一例を示すフローチャートである。出湯先３６０における光源制御処理は、開閉操作検出部３６６が開閉操作部３６５の開栓操作を検出すると起動する。
【０１６９】
開閉操作検出部３６６が開閉操作部３６５の開栓操作を検出すると、光源制御部３６７は、ステップＳ３０１において、開閉操作検知部３６６が検知した温度設定操作から、吐水流路３６２への吐水に貯湯タンク３０６の湯が含まれるかどうかを判断する。光源制御部３６７は、ステップＳ３０１において、吐水流路３６２への吐水に貯湯タンク３０６の湯が含まれると判断すれば、ステップＳ３０２に進む。ステップＳ３０２において、受信部３６４は、第二の電力を使用して蓄えたエネルギー量１０６２を、ネットワークＮ１を介して情報出力制御装置１００から受信する。
【０１７０】
ステップＳ３０２に続いて、光源制御部３６７は、ステップＳ３０３において、ステップＳ３０２において受信部３６４が受信した第二の電力を使用して蓄えたエネルギー量１０６２がゼロより大きければ、ステップＳ３０４に進む。ステップＳ３０４において、光源制御部３６７は、吐水口３６３が供給する湯水に含まれる湯を生成した電力供給源が第二の電力供給源であるとして、光源３６８の発光色を第二の電力供給源を示す色に決定する。
【０１７１】
光源制御部３６７は、第二の電力供給源を示す色を例えば、使用者が省エネを連想しやすい緑色とするよう予め定める。これに限らず、光源制御部３６７は、例えば太陽光発電を連想しやすい橙色など、第二の電力供給源を示す色を任意に定めてよい。
【０１７２】
ステップＳ３０４に続いて、光源制御部３６７は、ステップＳ３０５に進み、ステップＳ３０４で決定した発光色で光源３６８が発光するよう点灯制御する。
【０１７３】
ステップＳ３０３において、ステップＳ３０２において受信部３６４が受信した第二の電力を使用して蓄えたエネルギー量１０６２がゼロであれば、光源制御部３６７は、ステップＳ３０６に進む。ステップＳ３０６において、光源制御部３６７は、第一の電力で生成された湯を含む湯水を使用中であることを示すために、光源３６８の発光色を第一の電力供給源を示す色に決定して、ステップＳ３０５に進む。光源制御部３６７は、第一の電力供給源を示す色を例えば黄色など、第二の電力供給源を示す色とは異なるよう予め定める。光源制御部３６７は、黄色に限らず、第二の電力供給源を示す色と異なっていれば、第一の電力供給源を示す色を任意に定めてよい。
【０１７４】
ステップＳ３０１において、光源制御部３６８が貯湯タンク３０６の湯が出湯されないと判断した場合、ステップＳ３０９に進み、光源３６８の発光色の定義を行わない。すなわち、ステップＳ３０９に続いて、ステップＳ３０５において、光源制御部３６８は、光源３６８の点灯制御を行わない。
【０１７５】
ステップＳ３０５に続いて、ステップＳ３０７において、開閉操作検出部３６６が開閉操作部３６５の閉栓操作を検知すると、光源制御部３６７は、ステップＳ３０８において、光源３６８を消灯制御して、光源制御処理が終了する。
【０１７６】
ステップＳ３０７において、開閉操作検出部３６６が開閉操作部３６５の閉栓操作を検知しない場合、ステップＳ３０１に戻り、光源制御処理を繰り返す。
【０１７７】
ステップＳ３０５において、光源制御部３６７がステップＳ３０４またはステップＳ３０６にて決定した発光色で光源３６８を点灯制御することにより、光源３６８が光を照射する。光源３６８が照射した光は、湯水による屈折、または吐水流路３６２の内面における反射などを受けて、吐水口３６３の方向へ向かい、吐水口３６３が浴槽やシンクなどに吐水する湯水を照らして、使用者の目には、あたかも出湯された湯水に色が付いたように見える。
【０１７８】
図２６は、実施の形態３に係るエネルギー蓄積システム３０００における湯の熱量と出湯先の動作との関係を示す図である。
【０１７９】
図２６（ａ），（ｂ）は、それぞれ第一の電力を使用して蓄えたエネルギー量１０６１，第二の電力を使用して蓄えたエネルギー量１０６２（を示し、出湯先３６０への湯の供給に応じて減少する。図２６（ａ）〜（ｄ）の横軸は、いずれも時間の推移を示す。図２６において、時刻Ｔ０は、貯湯式給湯機３００が貯湯タンク３０６から出湯先３６０へ湯を供給する前の状態を示す。
【０１８０】
時刻Ｔ０において、第一の電力を使用して蓄えたエネルギー量１０６１（図２６（ａ）におけるＱｓ）、第二の電力を使用して蓄えたエネルギー量１０６２（図２６（ａ）におけるＱｇ）ともに正の値をとるものとする。
【０１８１】
時刻Ｔ１は、開閉操作部３６５が操作され、出湯先３６０が貯湯タンク３０６の湯を含む吐水を開始した状態を示す。時刻Ｔ１における第二の電力を使用して蓄えたエネルギー量１０６２は、時刻Ｔ０と同じであるので、光源制御部３６７は、第二の電力を使用して生成した湯を使用中であることを示すために、光源３６８の発光色を第二の電力供給源を示す色にして、点灯制御する。図２６では、第二の電力供給源を示す色を緑色とする例を示している。これにより、光源３６８が吐水口３６３から吐水される湯水を第二の電力供給源を示す色に照らす。
【０１８２】
時刻Ｔ１における開閉操作部３６５の開栓操作以降、第二の電力を使用して蓄えたエネルギー量１０６２の値は、湯の使用に伴って減少する。
【０１８３】
時刻Ｔ２は、第二の電力を使用して蓄えたエネルギー量１０６２がゼロとなった状態を示す。時刻Ｔ２において、光源制御部３６７は、第一の電力を使用して生成した湯を含む湯水を使用中であることを示すために、光源３６８の発光色を第一の電力供給源を示す色にして、点灯制御する。これにより、光源３６８は、吐水口３６３から吐水される湯水を照らす色を、第二の電力供給源を示す色から第一の電力供給源を示す色に変える。図２６では、第一の電力供給源を示す色を黄色とする例を示している。
【０１８４】
時刻Ｔ３は、開閉操作部３６５が閉栓操作された状態を示す。光源制御部３６７は、光源３６８を消灯制御して、光の照射を終了する。
【０１８５】
以上のように、実施の形態３に係るエネルギー蓄積システム３０００によれば、貯湯式給湯機３００が貯湯タンク３０６に蓄積した湯が含まれる湯水であって、出湯先３６０が吐水する湯水を照らす光源３６８と、貯湯タンク３０６に蓄積した湯を生成するのに使用した電力供給源に対応して、光源３６８を制御する光源制御部３６７と、を備え、情報出力制御装置１００が送信する第二の電力を使用して蓄えた熱エネルギー量１０６２にもとづいて、光源制御部３６７が光源３６８を異なる方法で発光させるので、出湯先３６０の使用者は、吐水口３６３から吐水される湯水に視線を向けるだけで、吐水中の湯水に含まれる湯を生成するのに使用したエネルギー供給元が第一の電力供給源であるのか、第二の電力供給源であるのかを識別することができる。これにより、実施の形態１および実施の形態２で述べた表示装置２７０が湯の出湯先３６０の近くに配置されていない場合でも、使用者は使用中の湯を生成するのに使用したエネルギー供給元が第一の電力供給源であるのか、第二の電力供給源であるのかを識別することができる。
【０１８６】
また、実施の形態３に係るエネルギー蓄積システム３０００によれば、光源制御部３６７は、第二の電力を使用して蓄えた熱エネルギー量にもとづいて、第一の電力供給源を示す色、または第二の電力供給源を示す色のいずれかで光源３６８を発光させるので、使用者は使用中の湯を生成するのに使用したエネルギー供給元が第一の電力供給源であるのか、第二の電力供給源であるのかを識別することができる。
【０１８７】
また一般に、出湯先３６０の使用時には、使用者の視線は吐水口３６３の周辺に向けられることが多いので、使用中の湯水に含まれる湯を生成するのに使用したエネルギー供給元に基いて出湯先３６０に設けられた光源３６８が照射する光を変化させることによって、使用者は入浴や炊事中などに表示装置２７０に目を向けなくとも、使用中の湯水に含まれる湯を生成するのに使用したエネルギー供給元が第一の電力供給源であるのか、第二の電力供給源であるのかを識別することができる。
【０１８８】
使用中の湯を生成するのに使用したエネルギー供給元が第二の電力供給源であることを使用者自身が識別できることで、使用者が第二の電力供給源である発電装置の恩恵を意識することができる。また、情報出力制御装置１００の記憶部１０６が記憶する第二の電力を使用して蓄えたエネルギー量１０６２がゼロとなった時点で、出湯先３６０に設けられた光源３６８が照射する光を変化させるので、使用者が使用中の湯を生成するのに使用したエネルギー供給元が変化したことを認識できる。これにより、以後の湯の利用を抑制するといった省エネ活動にもつなげられる。
【０１８９】
また、使用中の湯を生成するのに使用した電力供給源に基いて出湯先３６０に設けられた光源３６８が照射する光を変化させることによって、子供や高齢者などでも湯を生成するのに使用した電力供給源を直感的に識別でき、年齢を問わず省エネ活動を推進することができる。
【０１９０】
（実施の形態３の第一の変形例）
以上、情報出力制御装置１００から取得した第二の電力を使用して蓄えたエネルギー量１０６２の値にもとづいて、出湯先３６０に設けられた光源３６８を第一の電力供給源を示す色または第二の電力供給源を示す色のいずれかで発光させるエネルギー蓄積システム３０００について説明した。
【０１９１】
これに限らず、出湯先３６０の光源制御部３６７が光源３６８の発光色を第二の電力供給源を示す色から、第一の電力供給源を示す色に段階的に変化させるように制御する構成であってもよい。このように構成される実施の形態３の第一の変形例について以下に説明する。実施の形態３の第一の変形例に係るエネルギー蓄積システム３１００は、出湯先３６０の動作以外は、実施の形態３のエネルギー蓄積システム３０００と同じである。エネルギー蓄積システム３１００における出湯先３６０の光源制御処理について図２７を参照して説明する。図２７は、実施の形態３の第一の変形例に係る出湯先３６０における光源制御処理の一例を示すフローチャートである。
【０１９２】
図２７において、ステップＳ３０１からステップＳ３０９までの処理は、図２５で説明したステップＳ３０１からステップＳ３０９までと同じ処理である。光源制御部３６７は、ステップＳ３０２に続いて、ステップＳ３１０において、受信部３６４が受信した第二の電力を使用して蓄えたエネルギー量１０６２が予め定められた値ｑより大きければステップＳ３０４に進み、第二の電力を使用して蓄えたエネルギー量１０６２がｑ以下であればステップＳ３０３に進む。
【０１９３】
ステップＳ３０３において、第二の電力を使用して蓄えたエネルギー量１０６２がゼロより大きければステップＳ３１１に進み、第二の電力を使用して蓄えたエネルギー量１０６２がゼロであればステップＳ３０６に進む。
【０１９４】
すなわち、光源制御部３６７は、ステップＳ３１０において、第二の電力を使用して蓄えたエネルギー量１０６２がｑ以下であると、ステップＳ３０３において、第二の電力を使用して蓄えたエネルギー量１０６２がゼロになるまで、ステップＳ３１１にて、第二の電力供給源を示す色と第一の電力供給源を示す色とを混合することにより表現される中間色を光源３６８の発光色とする。
【０１９５】
光源制御部３６７は、第二の電力供給源を示す色と第一の電力供給源を示す色を同じ比率で混合した色を中間色としてもよいし、混合比率の異なる中間色を複数有してもよい。その場合、光源制御部３６７は、例えば、第二の電力を使用して蓄えたエネルギー量１０６２のｑに対する比率を求め、求めた比率を第二の電力供給源を示す色の混合比率とし、残りの比率を第一の電力供給源を示す色の混合比率として、中間色を表現する。
【０１９６】
図２８は、実施の形態３の第一の変形例に係るエネルギー蓄積システム３０００における湯の熱量と出湯先の動作との関係を示す図である。図２８の時刻Ｔ０，Ｔ１，Ｔ２，Ｔ３のそれぞれにおける第一の電力を使用して蓄えたエネルギー量１０６１、第二の電力を使用して蓄えたエネルギー量１０６２、開閉操作部３６５の操作は、図２６の時刻Ｔ０，Ｔ１，Ｔ２，Ｔ３と同じである。
【０１９７】
図２８の時刻Ｔ４は、時刻Ｔ１における開閉操作部３６５の開栓操作以降、第二の電力を使用して蓄えたエネルギー量１０６２の値が時間の経過とともに減少して、予め定められた値ｑに到達した状態を示す。
【０１９８】
時刻Ｔ４以後、時刻Ｔ２において第二の電力を使用して蓄えたエネルギー量１０６２がゼロとなるまでの間、光源制御部３６７は、第二の電力供給源を示す色と第一の電力供給源を示す色とを混合した中間色で光源３６８を発光させる。光源制御部３６７は、第二の電力を使用して蓄えたエネルギー量１０６２の値が減少するに伴い、第二の電力供給源を示す色よりも第一の電力供給源を示す色の混合比率を高くして、中間色を形成する。例えば、時刻Ｔ４以後、情報出力制御装置１００から受信する第二の電力を使用して蓄えたエネルギー量１０６２の値がｑ／３減少すると、光源制御部３６７は、減少した第二の電力を使用して蓄えたエネルギー量１０６２の分赤色を放光させる。
【０１９９】
さらに情報出力制御装置１００から受信する第二の電力を使用して蓄えたエネルギー量１０６２の値がｑ／３減少し、すなわち、第二の電力を使用して蓄えたエネルギー量１０６２の値がｑ／３に到達すると、光源制御部３６７は、赤色の放光度合を高めて、光源３６８を発光させる。光源制御部３６７がこのように光源３６８を発光制御することにより、第二の電力を使用して蓄えたエネルギー量１０６２の値がゼロに近づく時刻Ｔ４から、第二の電力を使用して蓄えたエネルギー量１０６２の値がゼロとなる時刻Ｔ２にかけて、光源３６８の色が緑色から黄色に徐々に変化する。
【０２００】
以上のように、実施の形態３の第一の変形例に係るエネルギー蓄積システム３１００によれば、光源制御部３６７は、第二の電力を使用して蓄えたエネルギー量１０６２が予め定めれらた値以下であるとき、第二の電力を使用して蓄えたエネルギー量１０６２にもとづいて、第二の電力供給源を示す色と第一の電力供給源を示す色とを混合した色で発光させるので、使用者が使用中の湯を生成するのに使用したエネルギー供給元が間もなく変化することを認識できる。これにより、以後の湯の利用を抑制するといった省エネ活動につなげられる。
【０２０１】
（実施の形態３の第二の変形例）
以上、出湯先３６０の光源制御部３６７が、吐水口３６３からの吐水に貯湯タンク３０６の湯が含まれている場合に、湯を生成した電力供給源を示す色で光源３６８を発光させるエネルギー蓄積システム３０００，３１００について説明した。これに限らず、光源制御部３６７は、吐水口３６３からの吐水に貯湯タンク３０６の湯が含まれていない、すなわち給水配管３１から流入される水を吐水する場合にも、光源３６８を発光するよう制御してもよい。このように構成される実施の形態３の第二の変形例について以下に説明する。実施の形態３の第二の変形例に係るエネルギー蓄積システム３２００は、出湯先３６０の動作以外は、実施の形態３のエネルギー蓄積システム３０００，３１００と同じである。エネルギー蓄積システム３２００における出湯先３６０の光源制御処理について図２９を参照して説明する。図２９は、実施の形態３の第二の変形例に係る出湯先３６０における光源制御処理の例を示すフローチャートである。
【０２０２】
図２９において、ステップＳ３０２からステップＳ３０８までの処理は、図２５で説明したステップＳ３０２からステップＳ３０８までと同じ処理である。光源制御部３６７は、ステップＳ３０３において、ステップＳ３０２において受信部３６４が受信した第二の電力を使用して蓄えたエネルギー量１０６２がゼロより大きければステップＳ３０４に進み、第二の電力を使用して蓄えたエネルギー量１０６２がゼロであればステップＳ３０６に進む。本実施の形態における光源制御部３６７は、ステップＳ３０１における吐水に貯湯タンク３０６の湯が含まれるかどうかの判断を行わないので、吐水口３６３からの吐水中常に、光源３６８を第一の電力供給源を示す色または第二の電力供給源を示す色のいずれかで発光させるよう制御する。
【０２０３】
以上のように、実施の形態３の第二の変形例に係るエネルギー蓄積システム３２００によれば、光源制御部３６７が出湯先３６０からの吐水に貯湯タンク３０６の湯が含まれていないときにも、第二の電力を使用して蓄えたエネルギー量１０６２にもとづいて、光源３６８を第一の電力供給源を示す色または第二の電力供給源を示す色のいずれかで発光させるので、使用者は、これから吐水を湯に切り換える場合に、切り換え後の湯が第一の電力供給源で生成されたのか、第二の電力供給源で生成されたのかを事前に認識することができる。これにより、例えば、使用者が吐水を水から湯に切り換える際に、切り換え後の湯を生成した電力供給源が第二の電力供給源であると事前に認識することにより、気軽に湯へ切り換えることができる。
【０２０４】
（実施の形態３の第三の変形例）
以上、光源制御部３６７が第一の電力供給源を示す色、第二の電力供給源を示す色、またはそれらを混合して表現される色で光源３６８を発光させるエネルギー蓄積システム３０００，３１００，３２００について説明した。上記以外に、光源制御部３６７は、第一の電力供給源を示す色または第二の電力供給源を示す色のいずれかのみを発光させるよう光源３６８を制御してもよい。このように構成される実施の形態３の第三の変形例について以下に説明する。実施の形態３の第三の変形例に係るエネルギー蓄積システム３３００は、出湯先３６０の動作以外は、実施の形態３、実施の形態３の第一の変形例、および実施の形態３の第二の変形例で説明したエネルギー蓄積システム３０００，３１００，３２００と同じである。エネルギー蓄積システム３３００における出湯先３６０の光源制御処理について図３０を参照して説明する。図３０は、実施の形態３の第三の変形例に係る出湯先３６０における光源制御処理の一例を示すフローチャートである。
【０２０５】
図３０は、第二の電力を使用して生成された湯が使用されている場合に光源制御部３６７が光源３６８を発光させ、第一の電力を使用して生成された湯が使用されている場合には光源制御部３６７が光源３６８を発光させないよう制御する例である。図３０において、ステップＳ３０１からステップＳ３０５までと、ステップＳ３０７からステップＳ３０８までの処理は、図２５で説明したのと同じ処理である。
【０２０６】
ステップＳ３０３において、光源制御部３６７は、第二の電力を使用して蓄えたエネルギー量１０６２がゼロであれば、ステップＳ３０９に進む。光源制御部３６７は、ステップＳ３０９において、光源３６８の発光色の定義を行わない。すなわち、ステップＳ３０９に続いて、ステップＳ３０５において、光源制御部３６８は、光源３６８を点灯制御しない。
【０２０７】
図３１は、実施の形態３の第三の変形例に係るエネルギー蓄積システム３３００における湯の熱量と出湯先の動作との関係を示す図である。図３１の時刻Ｔ０，Ｔ１，Ｔ２，Ｔ３のそれぞれにおける第一の電力を使用して蓄えたエネルギー量１０６１、第二の電力を使用して蓄えたエネルギー量１０６２、開閉操作部３６５の操作は、図２６の時刻Ｔ０，Ｔ１，Ｔ２，Ｔ３と同じである。
【０２０８】
時刻Ｔ２において第二の電力を使用して蓄えたエネルギー量１０６２がゼロとなると、光源制御部３６７は、光源３６８の発光を停止させる。これにより、時刻Ｔ２以降は、出湯先３６０の使用者の目には、第二の電力供給源が供給する電力で生成した湯を含む湯水を吐水中にのみ、湯水に色が付いたように見える。
【０２０９】
なお、本実施の形態では、光源制御部３６７が第二の電力供給源を示す色のみを発光させるよう光源３６８を制御する例について説明したが、もちろん、光源制御部３６７が第一の電力供給源を示す色のみを発光させるよう光源３６８を制御する構成であってもよい。その場合、ステップＳ３０３において、光源制御部３６７は、第二の電力を使用して蓄えたエネルギー量１０６２がゼロであれば、ステップＳ３０９に進むかわりに、光源３６８の発光色を第一の電力供給源を示す色に決定する。一方、光源制御部３６７は、ステップＳ３０３において、第二の電力を使用して蓄えたエネルギー量１０６２がゼロより大きければ、ステップＳ３０４に進むかわりに、光源３６８の発光色の定義を行わず、光源３６８を発光させないようにする。
【０２１０】
以上のように、実施の形態３の第三の変形例に係るエネルギー蓄積システム３３００によれば、光源制御部３６７は、第二の電力を使用して蓄えた熱エネルギー量にもとづいて、第一の電力供給源が供給する電力を使用して生成した湯を使用中、または第二の電力供給源が供給する電力を使用して生成した湯を使用中のいずれかのみ光源３６８を発光させるので、出湯先３６０は光源３６８の発光に必要な電力を低減することができる。
【０２１１】
（実施の形態３の第四の変形例）
上述した実施の形態３の第三の変形例において、光源制御部３６７が第二の電力を使用して蓄えたエネルギー量１０６２の値によって、第二の電力供給源であることを示す色の発光度合を変化させるよう光源３６８を制御してもよい。このように構成される実施の形態３の第四の変形例について以下に説明する。実施の形態３の第四の変形例に係るエネルギー蓄積システム３４００は、出湯先３６０の動作以外は、実施の形態３、実施の形態３の第一の変形例から第三の変形例で説明したエネルギー蓄積システム３０００，３１００，３２００，３２００と同じである。実施の形態３の第四の変形例における出湯先３６０の光源制御処理について図３２を参照して説明する。図３２は、実施の形態３の第四の変形例に係る出湯先３６０における光源制御処理の一例を示すフローチャートである。
【０２１２】
図３２において、ステップＳ３０１からステップＳ３０５までと、ステップＳ３０７からステップＳ３１０までの処理は、図２７で説明したのと同じ処理である。光源制御部３６７は、ステップＳ３１０において、第二の電力を使用して蓄えたエネルギー量１０６２がｑ以下であると、ステップＳ３０３において、第二の電力を使用して蓄えたエネルギー量１０６２がゼロになるまで、ステップＳ３１２にて、第二の電力を使用して蓄えたエネルギー量１０６２の値に応じて光源３６８の発光度合を決定する。
【０２１３】
図３３は、実施の形態３の第四の変形例に係るエネルギー蓄積システム３４００における湯の熱量と出湯先３６０の動作との関係を示す図である。図３３の時刻Ｔ０，Ｔ１，Ｔ２，Ｔ３，Ｔ４のそれぞれにおける第一の電力を使用して蓄えたエネルギー量１０６１、第二の電力を使用して蓄えたエネルギー量１０６２、開閉操作部３６５の操作は、図２８の時刻Ｔ０，Ｔ１，Ｔ２，Ｔ３，Ｔ４と同じである。
【０２１４】
第二の電力を使用して蓄えたエネルギー量１０６２の値が時刻Ｔ４において、予め定められた値ｑに到達した後、時刻Ｔ２においてゼロとなるまでの間、光源制御部３６７は、光源３６８を時刻Ｔ４に至るまでの発光度合よりも徐々に下げていく。例えば、時刻Ｔ４以後、情報出力制御装置１００から受信する第二の電力を使用して蓄えたエネルギー量１０６２の値がｑ／３減少すると、光源制御部３６７は、光源３６８の発光度合を時刻Ｔ４に至るまでの発光度合よりもｑ／３下げて、第二の電力供給源を示す色で発光させる。図３３では、第二の電力供給源を示す色を緑色とする例を示している。
【０２１５】
さらに情報出力制御装置１００から受信する第二の電力を使用して蓄えたエネルギー量１０６２の値がｑ／３減少し、すなわち、第二の電力を使用して蓄えたエネルギー量１０６２の値がｑ／３に到達すると、光源制御部３６７は、光源３６８の発光度合を時刻Ｔ４に至るまでの発光度合のｑ／３にして、光源３６８を発光させる。光源制御部３６７がこのように光源３６８を発光制御することにより、時刻Ｔ４から時刻Ｔ２にかけて、光源３６８の発光度合が徐々に低くなる。
【０２１６】
実施の形態３の第一の変形例と同様に、光源制御部３６７が第二の電力を使用して蓄えたエネルギー量１０６２の値がゼロとなる前から光源３６８の発光度合を段階的に低くすることにより、使用者に湯の使用を抑制するよう意識づけることができる。以上のように、実施の形態３の第四の変形例に係るエネルギー蓄積システム３４００によれば、光源制御部３６７が第二の電力を使用して蓄えたエネルギー量１０６２が予め定めれらた値以下であるとき、第二の電力を使用して蓄えたエネルギー量１０６２に対応した発光度合で光源３６８を発光させることにより、使用者が使用中の湯を生成するのに使用したエネルギー供給元が間もなく変化することを認識できる。これにより、実施の形態３の第一の変形例と同様に、以後の湯の利用を抑制するといった省エネ活動につなげられる。
【０２１７】
（実施の形態４）
上述の実施の形態３、実施の形態３の第一から第四の変形例では、情報出力制御装置１００から取得した第二の電力を使用して蓄えたエネルギー量１０６２の値にもとづいて、出湯先３６０の光源制御部３６７が光源３６８を発光させるようにしていた。実施の形態４に示すエネルギー蓄積システムは、実施の形態２の情報出力制御装置１２０が出力するエネルギー供給元がどの電力供給源であったのかにもとづいて、出湯先３６０に設けられた光源３６８を光源制御部３６７が制御する。このように構成される実施の形態４に示すエネルギー蓄積システムについて以下に説明する。
【０２１８】
実施の形態４に係るエネルギー蓄積システム４０００は、実施の形態３のエネルギー蓄積システム３０００の情報出力制御装置１００が情報出力制御装置１２０に置き換わる以外は、エネルギー蓄積システム３０００と同じであり、説明を省略する。エネルギー蓄積システム４０００における出湯先３６０の受信部３６４は、情報出力制御装置１２０から、第二の電力を使用して蓄えたエネルギー量１０６２の値のかわりに、エネルギー供給元がどの電力供給源であったのかを示す信号を、ネットワークＮ１を介して受信する。出湯先３６０の光源制御部３６７は、受信部３６４が受信したエネルギー供給元に対応する色で、光源３６８を発光させる。エネルギー蓄積システム４０００における出湯先３６０の光源制御処理について図３４を参照して説明する。
【０２１９】
図３４は、実施の形態４に係る出湯先３６０における光源制御処理の一例を示すフローチャートである。図３４において、ステップＳ３０１と、ステップＳ３０４からステップＳ３０９までの処理は、実施の形態３で説明した出湯先３６０における光源制御処理と同じである。
【０２２０】
ステップＳ３０１に続いて、受信部３６４は、ステップＳ３１３において、エネルギー供給元がどの電力供給源であったのかを示す信号を、ネットワークＮ１を介して情報出力制御装置１２０から受信する。ステップＳ３１３に続いて、ステップＳ３１４において、受信部３６４がステップＳ３１３において、エネルギー供給元が第二の電力供給源であることを示す信号を情報出力制御装置１２０から受信していれば、ステップＳ３０４に進む。
【０２２１】
ステップＳ３０４において、光源制御部３６７は、光源３６８の発光色を第二の電力供給源を示す色に決定する。
【０２２２】
ステップＳ３１４において、受信部３６４がステップＳ３１３において、エネルギー供給元が第二の電力供給源であることを示す信号を受信していなければ、ステップＳ３０６に進み、光源制御部３６７は、光源３６８の発光色を第一の電力供給源を示す色に決定する。
【０２２３】
以上のように、実施の形態４に係るエネルギー蓄積システム４０００によれば、貯湯式給湯機３００が貯湯タンク３０６に蓄積した湯が含まれる湯水であって、出湯先３６０が吐水する湯水を照らす光源３６８と、情報出力制御装置１２０が送信する貯湯タンク３０６に蓄積した湯を生成するのに使用した電力供給源に対応して、光源３６８を制御する光源制御部３６７と、を備え、光源制御部３６７は、貯湯タンク３０６に蓄積した湯を生成するのに使用した電力供給源に対応するよう予め定められた色で光源３６８を発光させるので、実施の形態３と同様に、出湯先３６０の使用者は、吐水口３６３から吐水される湯水に視線を向けるだけで、吐水中の湯水に含まれる湯を生成するのに使用したエネルギー供給元が第一の電力供給源であるのか、第二の電力供給源であるのかを識別することができる。また、光源制御部３６７が貯湯タンク３０６に蓄積された湯を生成するのに使用した電力供給源を導出する必要がなく、光源制御部３６７の動作負荷を軽減することができる。
【０２２４】
（実施の形態５）
上述の実施の形態４では、情報出力制御装置１２０が送信する貯湯タンク３０６に蓄積された湯を生成するのに使用した電力供給源にもとづいて、光源制御部３６７が電力供給源に対応する色で光源３６８を発光させるエネルギー蓄積システム４０００について説明した。これ以外に、情報出力制御装置が貯湯タンク３０６に蓄積された湯を生成するのに使用した電力供給源に対応する色の情報を送信する構成であってもよい。このように構成される実施の形態５に示すエネルギー蓄積システムについて以下に説明する。
【０２２５】
実施の形態５に係るエネルギー蓄積システム５０００は、実施の形態４のエネルギー蓄積システム４０００の情報出力制御装置１２０が情報出力制御装置１５０に置き換わる以外は、エネルギー蓄積システム４０００と同じであり、説明を省略する。図３５は、実施の形態５に係る情報出力制御装置１５０の機能構成例を示す図である。情報出力制御装置１５０の構成は、実施の形態１の情報出力制御装置１００の制御部１０５、実施の形態２の情報出力制御装置１２０の制御部１２５が制御部１５５に置き換わる以外は、情報出力制御装置１００，１２０と同じであり、それ以外の説明を省略する。制御部１５５は、記憶部１０６が記憶する第二の電力を使用して蓄えたエネルギー量１０６２から、貯湯タンク３０６に蓄積された熱エネルギーを生成するエネルギー供給元がどの電力供給源であるかを求め、求めた電力供給源を示す色の情報をネットワークＮ１に出力する。出湯先３６０の受信部３６４は、ネットワークＮ１を介して情報出力制御装置１５０から、貯湯タンク３０６に蓄積された熱エネルギーを生成するエネルギー供給元の電力供給源を示す色の情報を光源３６８の発光指示色として受信する。出湯先３６０の光源制御部３６７は、受信部３６４が受信した発光指示色にもとづいて、光源３６８を発光させる。
【０２２６】
図３６は、実施の形態５に係る情報出力制御処理の一例を示すフローチャートである。図３６において、ステップＳ１０１からステップＳ１１０までの処理と、ステップＳ１１３からステップＳ１１４までの処理とステップＳ１４１は、図１７で説明したのと同じである。
【０２２７】
制御部１５５は、ステップＳ１４１において、第二の電力を使用して蓄えたエネルギー量１０６２がゼロより大きければ、ステップＳ１４４に進み、第二の電力を使用して蓄えたエネルギー量１０６２がゼロであれば、ステップＳ１４５に進む。
【０２２８】
ステップＳ１４４において、制御部１５５は、第二の電力供給源を示す色の情報をネットワークＮ１に出力する。ステップＳ１４５において、制御部１５５は、第一の電力供給源を示す色の情報をネットワークＮ１に出力する。
【０２２９】
次に実施の形態５に係る湯の出湯先３６０における光源制御処理について、図３７を参照して説明する。図３７は、実施の形態５に係る出湯先３６０における光源制御処理の一例を示すフローチャートである。図３７において、ステップＳ３０１、ステップＳ３０５、ステップＳ３０７からステップＳ３０９までの処理は、図２５と同じである。
【０２３０】
ステップＳ３０１に続いて、受信部３６４は、ステップＳ３１５において、光源３６８の発光指示色を、ネットワークＮ１を介して情報出力制御装置１５０から受信する。ステップＳ３１５に続いて、光源制御部３６７は、ステップＳ３１６において、光源３６８の発光色を情報出力制御装置１５０から受信した発光指示色に決定し、ステップＳ３０５に進む。
【０２３１】
以上のように、実施の形態５に係る情報出力制御装置１５０およびエネルギー蓄積システム５０００によれば、複数の電力供給源が供給する電力を使用して、エネルギーを蓄えるエネルギー蓄積装置がエネルギーを蓄積中であることを示す信号を取得するエネルギー蓄積状態取得部１０１と、エネルギーを蓄積中に複数の電力供給源が供給する電力のうち、第一の電力供給源が供給する第一の電力の値を取得する第一の電力取得部１０２と、エネルギーを蓄積中に複数の電力供給源が供給する電力のうち、第二の電力供給源が供給する第二の電力の値を取得する第二の電力取得部１０３と、第一の電力取得部１０２が取得した第一の電力の値と、第二の電力取得部１０３が取得した第二の電力の値との比から、エネルギー蓄積装置が蓄えたエネルギー量のうち、第一の電力を使用して蓄えたエネルギー量と、第二の電力を使用して蓄えたエネルギー量を計算するエネルギー構成計算部１０４と、エネルギー構成計算部１０４が計算した第二の電力を使用して蓄えたエネルギー量から、エネルギー蓄積装置が蓄積したエネルギーを生成するのに使用した電力供給源に対応する色の情報を出力する制御部１５５とを備えるので、エネルギー蓄積装置がエネルギー蓄積後であっても、エネルギー供給元がどの電力供給源であったのかを識別することができる。
【０２３２】
また、実施の形態５に係るエネルギー蓄積システム５０００によれば、貯湯式給湯機３００が貯湯タンク３０６に蓄積した湯が含まれる湯水であって、出湯先３６０が吐水する湯水を照らす光源３６８と、情報出力制御装置１５０が送信する貯湯タンク３６０に蓄積した湯を生成するのに使用した電力供給源に対応する色の情報にもとづいて、光源３６８を制御する光源制御部３６７と、を備え、光源制御部３６７は、貯湯タンク３０６に蓄積した湯を生成するのに使用した電力供給源に対応する色の情報を光源３６８の発光指示色として、光源３６８を発光させるので、貯湯タンク３６０に蓄積した湯を生成するのに使用した電力供給源を識別することができる。
【０２３３】
また、実施の形態３と同様に、出湯先３６０の使用者は、吐水口３６３から吐水される湯水に視線を向けるだけで、吐水中の湯水に含まれる湯を生成するのに使用したエネルギー供給元が第一の電力供給源であるのか、第二の電力供給源であるのかを識別することができる。また、光源制御部３６７は、情報出力制御装置１５０が出力する発光指示色にしたがって光源３６８を発光させるだけでよく、光源制御部３６７の動作負荷を軽減することができる。また、情報出力制御装置１５０の制御部１５５を変更するだけで、出湯先３６０の光源制御部３６７を作り換えることなく、第一の電力供給源を示す色または第二の電力供給源を示す色を別の色に変更することができ、システムの変更が容易である。
【０２３４】
（実施の形態６）
上述の実施の形態３から実施の形態５では、出湯先３６０に設けられた光源３６８を制御することで、出湯先の使用者に、どの電力供給源が供給する電力を使用して生成した湯を使用中であるかを提示していた。このほかに、出湯先３６０が吐水する湯水に空気を含ませる空気混入部を備え、空気混入部が、湯を生成した電力供給源に対応して、湯水に空気を混入させるようにしてもよい。このように構成される実施の形態６に示すエネルギー蓄積システムについて以下に説明する。
【０２３５】
図３８は、実施の形態６に係るエネルギー蓄積システムの構成例を示す図である。実施の形態６に係るエネルギー蓄積システム６０００は、実施の形態３のエネルギー蓄積システム３０００の出湯先３６０ａ，３６０ｂが３６０１ａ，３６０１ｂ（以下、総称する場合は、出湯先３６０１という）に置き換わる以外は、エネルギー蓄積システム３０００と同じであり、説明を省略する。図３９は、実施の形態６に係る出湯先３６０１の要部を示す図である。出湯先３６０１は、図２４における光源制御部３６７および光源３６８のかわりに、空気混入部３７０を備える。空気混入部３７０は、バルブ３６９内部に設けられ、受信部３６４が受信した第二の電力を使用して蓄えたエネルギー量１０６２にもとづいて、給湯配管３０から流入した湯と給水配管３１から流入した水とが混合された湯水に空気を混入させる。空気混入部３７０が空気を混入させた湯水は、吐水口３６３から泡沫吐水される。
【０２３６】
次に実施の形態６に係る出湯先３６０１の空気混入処理について説明する。図４０は、実施の形態６に係る出湯先３６０１における空気混入処理の一例を示すフローチャートである。図４０において、ステップＳ３０１からステップＳ３０３までの処理と、ステップＳ３０７は、図２５と同じである。
【０２３７】
ステップＳ３０３において、第二の電力を使用して蓄えたエネルギー量１０６２がゼロより大きければステップＳ３４１に進み、空気混入部３７０がバルブ３６９内で混合された湯水に空気を混入させる。これにより、湯水が吐水口３６３から泡沫吐水される。ステップＳ３０３において、第二の電力を使用して蓄えたエネルギー量１０６２がゼロであれば、ステップＳ３４３に進み、空気混入部３７０は、湯水に空気を混入させない。ステップＳ３４１またはステップＳ３４３に続いて、ステップＳ３０７において、開閉操作検出部３６６が開閉操作部３６５の閉栓操作を検知すると、空気混入部３７０は、ステップＳ３４２において、湯水への空気混入を終了して、空気混入処理が終了する。
【０２３８】
なお、本実施の形態では、出湯先３６０１が供給する湯を生成した電力供給源が第二の電力供給源の場合に湯水を吐水口３６３から泡沫吐水する例を説明したが、もちろん、出湯先３６０１が供給する湯を生成した電力供給源が第一の電力供給源の場合に湯水が吐水口３６３から泡沫吐水される構成であってもよい。その場合、ステップＳ３０３において、第二の電力を使用して蓄えたエネルギー量１０６２がゼロであれば、ステップＳ３４１に進み、空気混入部３７０がバルブ３６９内で混合された湯水に空気を混入させる。ステップＳ３０３において、第二の電力を使用して蓄えたエネルギー量１０６２がゼロより大きければ、ステップＳ３４３に進み、空気混入部３７０は、湯水に空気を混入させない。
【０２３９】
以上のように、実施の形態６に係るエネルギー蓄積システム６０００によれば、貯湯式給湯機３００が貯湯タンク３０６に蓄積した湯が含まれる湯水であって、出湯先３６０１が吐水する湯水に空気を含ませる空気混入部３７０を備え、情報出力制御装置１００が送信する第二の電力を使用して蓄えた熱エネルギー量１０６２にもとづいて、空気混入部３７０が湯水に空気を混入させるので、使用者は、吐水された湯水に触れるだけで、湯を生成した電力供給源を直感的に識別することができ、年齢を問わず省エネ活動を推進することができる。
【０２４０】
（実施の形態６の変形例）
以上、実施の形態３のエネルギー蓄積システム３０００の出湯先３６０を出湯先３６０１に置き換えて、出湯先３６０１が空気混入部３７０を備えるエネルギー蓄積システム６０００について説明した。同様に、実施の形態４のエネルギー蓄積システム４０００の出湯先３６０を出湯先３６０１に置き換える構成であってもよい。このように構成される実施の形態６の変形例について以下に説明する。実施の形態６の変形例に係るエネルギー蓄積システム６１００は、実施の形態４のエネルギー蓄積システム４０００の出湯先３６０が出湯先３６０１に置き換わる以外は、エネルギー蓄積システム４０００と同じであり、説明を省略する。
【０２４１】
図４１は、実施の形態６の変形例に係る出湯先３６０１の空気混入処理の一例を示すフローチャートである。図４１において、ステップＳ３０１、ステップＳ３０７、ステップＳ３１３およびステップＳ３１４の処理は、図３４と同じである。図４１において、ステップＳ３４１からステップＳ３４３までの処理は、図４０と同じである。
【０２４２】
ステップＳ３１４において、受信部３６４がステップＳ３１３において、エネルギー供給元が第二の電力供給源であることを示す信号を情報出力制御装置１２０から受信していれば、ステップＳ３４１に進み、空気混入部３７０がバルブ３６９内で混合された湯水に空気を混入させる。これにより、湯水が吐水口３６３から泡沫吐水される。ステップＳ３１４において、受信部３６４がステップＳ３１３において、エネルギー供給元が第二の電力供給源であることを示す信号を受信していなければ、ステップＳ３４３に進み、空気混入部３７０は、湯水に空気を混入させない。
【０２４３】
なお、本実施の形態では、出湯先３６０１が供給する湯を生成した電力供給源が第二の電力供給源の場合に湯水を吐水口３６３から泡沫吐水する例を説明したが、実施の形態６と同様に、出湯先３６０１が供給する湯を生成した電力供給源が第一の電力供給源の場合に湯水が吐水口３６３から泡沫吐水される構成であってもよい。その場合、ステップＳ３１４において、エネルギー供給元が第二の電力供給源でなければ、ステップＳ３４１に進み、空気混入部３７０がバルブ３６９内で混合された湯水に空気を混入させる。ステップＳ３１４において、エネルギー供給元が第二の電力供給源であれば、ステップＳ３４３に進み、空気混入部３７０は、湯水に空気を混入させない。
【０２４４】
以上のように、実施の形態６の変形例に係るエネルギー蓄積システム６１００によれば、貯湯式給湯機３００が貯湯タンク３０６に蓄積した湯が含まれる湯水であって、出湯先３６０１が吐水する湯水に空気を含ませる空気混入部３７０を備え、空気混入３７０は、情報出力制御装置１２０が送信する貯湯タンク３０６に蓄積した湯を生成するのに使用した電力供給源に対応して、湯水に空気を混入させるので、実施の形態６と同様に、使用者は、吐水された湯水に触れるだけで、湯を生成した電力供給源を直感的に識別することができ、年齢を問わず省エネ活動を推進することができる。
【０２４５】
また、実施の形態１から実施の形態６に説明したエネルギー蓄積システム１０００，１１００，２０００，２１００，３０００，３１００，３２００，３３００，３４００，４０００，５０００，６０００および６１００では、発電装置として太陽光発電装置２２０を備える例について説明したが、これに限らず、風力発電装置または燃料電池などを用いてもよい。
【０２４６】
また、エネルギー蓄積システム１０００，１１００，２０００，２１００，３０００，３１００，３２００，３３００，３４００，４０００，５０００，６０００および６１００が複数の発電装置を備える場合には、制御部１０５，１２５および１５５が発電装置ごとにエネルギー供給元を異なる形態で出力するようにしてもよい。実施の形態１から実施の形態６では、電力供給源が系統電源２１０と太陽光発電装置２２０であるエネルギー蓄積システム１０００，１１００，２０００，２１００，３０００，３１００，３２００，３３００，３４００，４０００，５０００，６０００および６１００について説明したが、電力供給源はこれに限らない。例えば、電力供給源として太陽光発電装置と風力発電装置を備えるエネルギー蓄積システムにおいて、情報出力制御装置の第一の電力取得部が太陽光発電電力の値を取得し、第二の電力取得部が風力発電電力の値を取得するように構成されてもよい。また、電力供給源の数は、２つ以上の任意でよい。
【０２４７】
なお、本発明は上述した各実施の形態に限定されず、各実施の形態を、組み合わせることも可能である。例えば、実施の形態１を、実施の形態３と組み合わせることにより、表示装置２７０または吐水口３６３のいずれの付近においてもエネルギー蓄積装置へのエネルギー供給元がどの電力供給源であったのかを識別することができる。上記のほかに例えば、エネルギー蓄積システムが実施の形態３に係る出湯先３６０の構成と、実施の形態６に係る出湯先３６０１の構成とを組み合わせた出湯先を備えていてもよい。出湯先３６０の構成と出湯先３６０１とを組み合わせることにより、視覚と触覚の両方を用いて、湯を生成するのに使用したエネルギー供給元を直感的に識別することができる。
【０２４８】
図４２は、本発明の実施の形態１から実施の形態６に係る情報出力制御装置１００，１２０，１３０，１５０のハードウェア構成例を示す図である。情報出力制御装置１００，１２０，１５０は、プロセッサ５０１、メモリ５０２、インターフェース５０３で構成されている。情報出力制御装置１００，１２０，１５０におけるエネルギー蓄積状態取得部１０１、第一電力取得部１０２、第二電力取得部１０３、エネルギー構成計算部１０４、制御部１０５，１２５，１３５，１５５の各機能は、それぞれプロセッサ５０１により実現される。プロセッサ５０１は、メモリ５０２に格納されるプログラムを実行するＣＰＵ（Ｃｅｎｔｒａｌ  Ｐｒｏｃｅｓｓｉｎｇ  Ｕｎｉｔ）である。情報出力制御装置１００，１２０，１５０における記憶部１０６もメモリ５０２により実現され、メモリ５０２には、プロセッサ５０１が実行するプログラムと、発電電力を使用して蓄えたエネルギー量１０６１および系統電力を使用して蓄えたエネルギー量１０６２とが記憶される。
【０２４９】
インターフェース５０３は、エネルギー蓄積状態取得部１０１、第一電力取得部１０２、第二電力取得部１０３、エネルギー構成計算部１０４、制御部１０５，１２５，１３５，１５５が、情報出力制御装置１００，１２０，１３０，１５０の外部と入出力する信号の送受信をそれぞれ行う。
【０２５０】
情報出力制御装置１００，１２０，１３０，１５０におけるエネルギー蓄積状態取得部１０１、第一電力取得部１０２、第二電力取得部１０３、エネルギー構成計算部１０４、制御部１０５，１２５，１３５，１５５の各機能は、ソフトウェア、ファームウェア、またはソフトウェアとファームウェアとの組み合わせにより実現される。ソフトウェアやファームウェアは、プログラムとして記述され、メモリ５０２に格納される。プロセッサ５０１は、メモリ５０２に記憶されたプログラムを読み出して実行することにより、各部の機能を実現する。すなわち、情報出力制御装置１００，１２０，１３０，１５０は、プロセッサ５０１により実行されるときに、情報出力制御装置１００，１２０，１３０，１５０のエネルギー蓄積状態取得部１０１、第一電力取得部１０２、第二電力取得部１０３、エネルギー構成計算部１０４、制御部１０５，１２５，１３５，１５５を制御するステップが結果的に実行されることになるプログラムを格納するためのメモリ５０２をそれぞれ備える。
【０２５１】
また、これらのプログラムは、情報出力制御装置１００，１２０，１３０，１５０のエネルギー蓄積状態取得部１０１、第一電力取得部１０２、第二電力取得部１０３、エネルギー構成計算部１０４、制御部１０５，１２５，１３５，１５５の手順や方法をそれぞれコンピュータに実行させるものであるともいえる。
【０２５２】
ここで、メモリとは、例えば、ＲＡＭ、ＲＯＭ、フラッシュメモリ、ＥＰＲＯＭ、ＥＥＰＲＯＭなどの、不揮発性または揮発性の半導体メモリや、磁気ディスク、フレキシブルディスク、光ディスク、コンパクトディスク、ミニディスク、ＤＶＤ等が該当する。図４２では、プロセッサ５０１およびメモリ５０２をそれぞれ一つで構成する例を示しているが、複数のプロセッサおよび複数のメモリが連携して上記機能を実行してもよい。
【０２５３】
その他、前記のハードウェア構成やフローチャートは一例であり、任意に変更および修正が可能である。
【０２５４】
プロセッサ５０１、メモリ５０２で構成される情報出力制御装置１００，１２０，１３０，１５０における情報出力制御処理を行うエネルギー蓄積状態取得部１０１、第一電力取得部１０２、第二電力取得部１０３、エネルギー構成計算部１０４、制御部１０５，１２５，１３５，１５５の各機能を実現する中心となる部分は、専用のシステムによらず、通常のコンピュータシステムを用いて実現可能である。例えば、前記の動作を実行するためのプログラムを、コンピュータが読み取り可能なＣＤ−ＲＯＭ、ＤＶＤ−ＲＯＭなどの記録媒体に格納して配布し、前記プログラムをコンピュータにインストールすることにより、上述の各機能を実現することができるコンピュータを構成してもよい。そして、各機能をＯＳ（Ｏｐｅｒａｔｉｎｇ  Ｓｙｓｔｅｍ）とアプリケーションとの分担、またはＯＳとアプリケーションとの協同により実現する場合等には、ＯＳ以外の部分のみを記録媒体に格納してもよい。
【０２５５】
さらに、搬送波に各プログラムを重畳し、通信ネットワークを介して配信することも可能である。例えば、通信ネットワーク上の掲示板（ＢＢＳ，  Ｂｕｌｌｅｔｉｎ  Ｂｒｏａｄ  Ｓｙｓｔｅｍ）に当該プログラムを掲示し、ネットワークを介して当該プログラムを配信してもよい。そして、これらのプログラムを起動し、ＯＳの制御下で、他のアプリケーションプログラムと同様に実行することにより、上述の処理を実行できるように構成してもよい。
【０２５６】
以上、本発明の好ましい実施の形態について説明したが、本発明は係る特定の実施の形態に限定されるものではなく、本発明には、特許請求の範囲に記載された発明とその均等の範囲が含まれる。
【符号の説明】
【０２５７】
１０００，１１００，２０００，２１００，３０００，３１００，３２００，３３００，３４００，４０００，５０００，６０００，６１００  エネルギー蓄積システム、  １００，１２０，１３０，１５０  情報出力制御装置、  １０１  エネルギー蓄積状態取得部、  １０２  第一電力取得部、  １０３  第二電力取得部、  １０４  エネルギー構成計算部、  １０５，１２５，１３５，１５５  制御部、  １１０  記憶部、  ２１０  系統電源、  ２２０  太陽光発電装置、  ２３０  パワーコンディショナ、  ２４０  分電盤、  ２４４，２４４ａ，２４４ｂ  電流センサ、  ２５０  電力計測装置、  ２６０，２６０ａ，２６０ｂ  電力負荷、  ３０  給湯配管、  ３１  給水配管、  ３００  貯湯式給湯機、  ３０１  ヒートポンプ式加熱装置、  ３０２  蒸発器、  ３０３  圧縮機、  ３０４  放熱器、  ３０５  膨張弁、  ３０６  貯湯タンク、  ３０７  水流路、  ３０８  循環ポンプ、  ３１０ａ〜３１０ｅ  温度センサ、  ３１１  出湯管、  ３１２  給水管、  ３１３  流量センサ、３２０  動作監視部、  ３２１  貯湯状態算出部、  ３５０，３５０ａ，３５０ｂ，３６０，３６０ａ，３６０ｂ，３６０１，３６０１ａ，３６０１ｂ  出湯先、  ３６１  吐水管、  ３６３  吐水口、  ３６４  受信部、  ３６５  開閉操作部、  ３６６  開閉操作検知部、  ３６７  光源制御部、  ３６８  光源、  ３６９  バルブ、  ３７０  空気混入部、  ５０１  プロセッサ、  ５０２  メモリ、  ５０３  インターフェース。
【図１】
2018133870.tif 000010
【図２】
2018133870.tif 000011
【図３】
2018133870.tif 000012
【図４】
2018133870.tif 000013
【図５】
2018133870.tif 000014
【図６】
2018133870.tif 000015
【図７】
2018133870.tif 000016
【図８】
2018133870.tif 000017
【図９】
2018133870.tif 000018
【図１０】
2018133870.tif 000019
【図１１】
2018133870.tif 000020
【図１２】
2018133870.tif 000021
【図１３】
2018133870.tif 000022
【図１４】
2018133870.tif 000023
【図１５】
2018133870.tif 000024
【図１６】
2018133870.tif 000025
【図１７】
2018133870.tif 000026
【図１８】
2018133870.tif 000027
【図１９】
2018133870.tif 000028
【図２０】
2018133870.tif 000029
【図２１】
2018133870.tif 000030
【図２２】
2018133870.tif 000031
【図２３】
2018133870.tif 000032
【図２４】
2018133870.tif 000033
【図２５】
2018133870.tif 000034
【図２６】
2018133870.tif 000035
【図２７】
2018133870.tif 000036
【図２８】
2018133870.tif 000037
【図２９】
2018133870.tif 000038
【図３０】
2018133870.tif 000039
【図３１】
2018133870.tif 000040
【図３２】
2018133870.tif 000041
【図３３】
2018133870.tif 000042
【図３４】
2018133870.tif 000043
【図３５】
2018133870.tif 000044
【図３６】
2018133870.tif 000045
【図３７】
2018133870.tif 000046
【図３８】
2018133870.tif 000047
【図３９】
2018133870.tif 000048
【図４０】
2018133870.tif 000049
【図４１】
2018133870.tif 000050
【図４２】
2018133870.tif 000051